(57)【要約】  本発明は、マルチユーザ伝送シグナリングのための無線通信方法及び無線通信端末に関する。より詳しくは、本発明は、無線通信端末であって、通信部と、前記通信部を介して送受信される信号を処理するプロセッサと、を含み、前記プロセッサは、前記通信部を介してＨＥ  ＭＵ  ＰＰＤＵ（ｈｉｇｈ  ｅｆｆｉｃｉｅｎｃｙ  ｍｕｌｔｉ−ｕｓｅｒ ＰＨＹ ｐｒｏｔｏｃｏｌ  ｄａｔａ  ｕｎｉｔ）を受信するが、前記ＨＥ  ＭＵ  ＰＰＤＵのプリアンブルは、ＨＥ−ＳＩＧ−Ａ（Ｈｉｇｈ  Ｅｆｆｉｃｉｅｎｃｙ  Ｓｉｇｎａｌ  Ａ  ｆｉｅｌｄ）及びＨＥ−ＳＩＧ−Ｂ（Ｈｉｇｈ  Ｅｆｆｉｃｉｅｎｃｙ  Ｓｉｇｎａｌ  Ｂ  ｆｉｅｌｄ）を含み、前記ＨＥ−ＳＩＧ−Ａから獲得した情報に基づいて前記受信されたＨＥ  ＭＵ  ＰＰＤＵをデコーディングするが、前記ＨＥ−ＳＩＧ−Ｂの構成は、前記ＨＥ−ＳＩＧ−Ａの少なくとも一つのサブフィールドから獲得した情報に基づいて識別される無線通信端末、及びそれを利用した無線通信方法を提供する。
2020504570.tif 000002
【特許請求の範囲】
【請求項１】
無線通信端末であって、
通信部と、
前記通信部を介して送受信される信号を処理するプロセッサと、を含み、
前記プロセッサは、
前記通信部を介してＨＥ  ＭＵ  ＰＰＤＵ（ｈｉｇｈ  ｅｆｆｉｃｉｅｎｃｙ  ｍｕｌｔｉ−ｕｓｅｒ ＰＨＹ ｐｒｏｔｏｃｏｌ  ｄａｔａ  ｕｎｉｔ）を受信するが、前記ＨＥ  ＭＵ  ＰＰＤＵのプリアンブルは、ＨＥ−ＳＩＧ−Ａ（Ｈｉｇｈ  Ｅｆｆｉｃｉｅｎｃｙ  Ｓｉｇｎａｌ  Ａ  ｆｉｅｌｄ）及びＨＥ−ＳＩＧ−Ｂ（Ｈｉｇｈ  Ｅｆｆｉｃｉｅｎｃｙ  Ｓｉｇｎａｌ  Ｂ  ｆｉｅｌｄ）を含み、
前記ＨＥ−ＳＩＧ−Ａから獲得した情報に基づいて前記受信されたＨＥ  ＭＵ  ＰＰＤＵをデコーディングするが、
前記ＨＥ−ＳＩＧ−Ｂの構成は、前記ＨＥ−ＳＩＧ−Ａの少なくとも一つのサブフィールドから獲得した情報に基づいて識別される無線通信端末。
【請求項２】
ＨＥ−ＳＩＧ−ＡのＳＩＧ−Ｂ圧縮フィールドが全体帯域幅ＭＵ−ＭＩＭＯ伝送を指示して前記ＨＥ−ＳＩＧ−Ｂに共通フィールドが存在しなければ、
前記ＨＥ−ＳＩＧ−Ｂのユーザ特定フィールドの構成は、前記ＨＥ−ＳＩＧ−Ａの少なくとも一つのサブフィールドから獲得した情報に基づいて識別される請求項１に記載の無線通信端末。
【請求項３】
前記ＨＥ−ＳＩＧ−ＡのＳＩＧ−Ｂ圧縮フィールドが全体帯域幅ＭＵ−ＭＩＭＯ伝送を指示すれば、前記ＨＥ−ＳＩＧ−Ａから指示されたＭＵ−ＭＩＭＯユーザの個数情報に基づいて前記ＨＥ−ＳＩＧ−Ｂのユーザ特定フィールドの構成が識別される請求項２に記載の無線通信端末。
【請求項４】
前記ＨＥ−ＳＩＧ−Ｂのユーザ特定フィールドを構成するユーザフィールドのタイプは、ＭＵ−ＭＩＭＯ割当のためのユーザフィールドとｎｏｎ−ＭＵ−ＭＩＭＯ割当のためのユーザフィールドを含み、
前記ＭＵ−ＭＩＭＯユーザの個数情報が２つ以上のユーザを指示すれば、前記ＨＥ−ＳＩＧ−Ｂのユーザ特定フィールドはＭＵ−ＭＩＭＯ割当のためのユーザフィールドからなり、
前記ＭＵ−ＭＩＭＯユーザの個数情報が一つのユーザを指示すれば、前記ＨＥ−ＳＩＧ−Ｂのユーザ特定フィールドはｎｏｎ−ＭＵ−ＭＩＭＯ割当のための一つのユーザフィールドからなる請求項３に記載の無線通信端末。
【請求項５】
前記ＭＵ−ＭＩＭＯ割当のためのユーザフィールドは、ＭＵ−ＭＩＭＯ割当における空間的ストリームの総個数と前記ＭＵ−ＭＩＭＯ割当における各端末のための空間的ストリーム個数を指示する空間構成フィールドを含み、
前記ｎｏｎ−ＭＵ−ＭＩＭＯ割当のためのユーザフィールドは、ＮＳＴＳ（Ｎｕｍｂｅｒ  ｏｆ  Ｓｐａｔｉａｌ  Ｓｔｒｅａｍｓ）フィールドを含む請求項４に記載の無線通信端末。
【請求項６】
前記ｎｏｎ−ＭＵ−ＭＩＭＯ割当のためのユーザフィールドは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）割当基盤のユーザフィールドである請求項４に記載の無線通信端末。
【請求項７】
前記ＨＥ−ＳＩＧ−ＡのＳＩＧ−Ｂ圧縮フィールドが全体帯域幅ＭＵ−ＭＩＭＯ伝送を指示すれば、前記ＭＵ−ＭＩＭＯユーザの個数情報は、前記ＨＥ−ＳＩＧ−ＡにおいてＨＥ−ＳＩＧ−Ｂシンボルの個数フィールドによって指示される請求項３に記載の無線通信端末。
【請求項８】
前記ＨＥ−ＳＩＧ−Ａは、前記ＰＰＤＵが上り伝送されるのかまたは下り伝送されるのかを指示する上り／下りフィールドを含み、
前記ＰＰＤＵのＨＥ−ＳＩＧ−Ａの少なくとも一つのサブフィールドは、前記上り／下りフィールドが指示する値に基づいて異なる情報を指示するか異なるように設定される請求項１に記載の無線通信端末。
【請求項９】
前記上り／下りフィールドが下り伝送を指示すれば、前記ＨＥ−ＳＩＧ−Ａの帯域幅フィールドの特定値は予め設定された不連続帯域を指示し、
前記上り／下りフィールドが上り伝送を指示すれば、前記ＨＥ−ＳＩＧ−Ａの帯域幅フィールドの前記特定値は予め設定された狭帯域幅を指示する請求項８に記載の無線通信端末。
【請求項１０】
前記予め設定された狭帯域幅は、左−１０６−トーン及び右−１０６−トーンのうち少なくとも一つを含む請求項９に記載の無線通信端末。
【請求項１１】
前記上り／下りフィールドが下り伝送を指示すれば、前記ＨＥ−ＳＩＧ−ＡのＳＩＧ−Ｂ圧縮フィールドは、ＨＥ−ＳＩＧ−Ｂフィールドに共通フィールドが存在しない全体帯域幅ＭＵ−ＭＩＭＯ伝送の遂行可否を指示し、
前記上り／下りフィールドが上り伝送を指示すれば、前記ＨＥ−ＳＩＧ−ＡのＳＩＧ−Ｂ圧縮フィールドは、ＨＥ−ＳＩＧ−Ｂフィールドに共通フィールドが存在しないことを常に指示する請求項８に記載の無線通信端末。
【請求項１２】
前記ＨＥ−ＳＩＧ−ＡのＳＩＧ−Ｂ圧縮フィールドがＨＥ−ＳＩＧ−Ｂフィールドの圧縮モードを指示する場合、
前記上り／下りフィールドが下り伝送を指示すれば、前記ＨＥ−ＳＩＧ−ＡのＨＥ−ＳＩＧ−Ｂシンボルの個数フィールドはＭＵ−ＭＩＭＯユーザの個数情報を指示し、
前記上り／下りフィールドが上り伝送を指示すれば、前記ＨＥ−ＳＩＧ−ＡのＨＥ−ＳＩＧ−Ｂシンボルの個数フィールドはＨＥ−ＳＩＧ−ＢフィールドにおけるＯＦＤＭシンボルの個数情報を指示する請求項８に記載の無線通信端末。
【請求項１３】
無線通信端末の無線通信方法であって、
ＨＥ  ＭＵ  ＰＰＤＵを受信するステップと、前記ＨＥ  ＭＵ  ＰＰＤＵのプリアンブルは、ＨＥ−ＳＩＧ−Ａ及びＨＥ−ＳＩＧ−Ｂを含み、
前記ＨＥ−ＳＩＧ−Ａから獲得した情報に基づいて前記受信されたＨＥ  ＭＵ  ＰＰＤＵをデコーディングするステップと、を含むが、
前記ＨＥ−ＳＩＧ−Ｂの構成は、前記ＨＥ−ＳＩＧ−Ａの少なくとも一つのサブフィールドから獲得した情報に基づいて識別される無線通信方法。
【請求項１４】
ＨＥ−ＳＩＧ−ＡのＳＩＧ−Ｂ圧縮フィールドが全体帯域幅ＭＵ−ＭＩＭＯ伝送を指示して前記ＨＥ−ＳＩＧ−Ｂに共通フィールドが存在しなければ、
前記ＨＥ−ＳＩＧ−Ｂのユーザ特定フィールドの構成は、前記ＨＥ−ＳＩＧ−Ａの少なくとも一つのサブフィールドから獲得した情報に基づいて識別される請求項１３に記載の無線通信方法。
【請求項１５】
前記ＨＥ−ＳＩＧ−ＡのＳＩＧ−Ｂ圧縮フィールドが全体帯域幅ＭＵ−ＭＩＭＯ伝送を指示すれば、前記ＨＥ−ＳＩＧ−Ａから指示されたＭＵ−ＭＩＭＯユーザの個数情報に基づいて前記ＨＥ−ＳＩＧ−Ｂのユーザ特定フィールドの構成が識別される請求項１４に記載の無線通信方法。
【請求項１６】
前記ＨＥ−ＳＩＧ−Ｂのユーザ特定フィールドを構成するユーザフィールドのタイプは、ＭＵ−ＭＩＭＯ割当のためのユーザフィールドとｎｏｎ−ＭＵ−ＭＩＭＯ割当のためのユーザフィールドを含み、
前記ＭＵ−ＭＩＭＯユーザの個数情報が２つ以上のユーザを指示すれば、前記ＨＥ−ＳＩＧ−Ｂのユーザ特定フィールドはＭＵ−ＭＩＭＯ割当のためのユーザフィールドからなり、
前記ＭＵ−ＭＩＭＯユーザの個数情報が一つのユーザを指示すれば、前記ＨＥ−ＳＩＧ−Ｂのユーザ特定フィールドはｎｏｎ−ＭＵ−ＭＩＭＯ割当のための一つのユーザフィールドからなる請求項１５に記載の無線通信方法。
【請求項１７】
前記ＭＵ−ＭＩＭＯ割当のためのユーザフィールドは、ＭＵ−ＭＩＭＯ割当における空間的ストリームの総個数と前記ＭＵ−ＭＩＭＯ割当における各端末のための空間的ストリーム個数を指示する空間構成フィールドを含み、
前記ｎｏｎ−ＭＵ−ＭＩＭＯ割当のためのユーザフィールドは、ＮＳＴＳフィールドを含む請求項１６に記載の無線通信方法。
【請求項１８】
前記ｎｏｎ−ＭＵ−ＭＩＭＯ割当のためのユーザフィールドは、ＯＦＤＭＡ割当基盤のユーザフィールドである請求項１６に記載の無線通信方法。
【請求項１９】
前記ＨＥ−ＳＩＧ−ＡのＳＩＧ−Ｂ圧縮フィールドが全体帯域幅ＭＵ−ＭＩＭＯ伝送を指示すれば、前記ＭＵ−ＭＩＭＯユーザの個数情報は、前記ＨＥ−ＳＩＧ−ＡにおいてＨＥ−ＳＩＧ−Ｂシンボルの個数フィールドによって指示される請求項１５に記載の無線通信方法。
【請求項２０】
前記ＨＥ−ＳＩＧ−Ａは、前記ＰＰＤＵが上り伝送されるのかまたは下り伝送されるのかを指示する上り／下りフィールドを含み、
前記ＰＰＤＵのＨＥ−ＳＩＧ−Ａの少なくとも一つのサブフィールドは、前記上り／下りフィールドが指示する値に基づいて異なる情報を指示するか異なるように設定される請求項１３に記載の無線通信方法。
【発明の詳細な説明】
【技術分野】
【０００１】
本発明は、マルチユーザパケットをシグナリングするための無線通信方法及び無線通信端末に関する。
【背景技術】
【０００２】
最近、モバイル機器の普及が拡大されるにつれ、それらに速い無線インターネットサービスを提供し得る無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップＰＣ、携帯型マルチメディアプレーヤー、インベデッド機器などのようなモバイル機器を家庭や企業、または特定サービス提供地域において、無線でインターネットに接続し得るようにする技術である。
【０００３】
ＩＥＥＥ（Ｉｓｔｉｔｕｔｅ  ｏｆ  Ｅｌｅｃｔｒｏｎｉｃｓ  Ｅｎｇｉｎｅｅｒｓ）  ８０２．１１は、２．４ＧＨのｚ周波数を利用した初期の無線ＬＡＮ技術を支援した以来、多様な技術の標準を実用化または開発中である。まず、ＩＥＥＥ  ８０２．１１ｂは２．４ＧＨｚバンドの周波数を使用し、最高１１Ｍｂｐｓの通信速度を支援する。ＩＥＥＥ  ８０２．１１ｂの後に商用化されたＩＥＥＥ  ８０２．１１ａは２．４ＧＨｚバンドではなく５ＧＨｚバンドの周波数を使用することで、相当混雑した２．４ＧＨｚバンドの周波数に比べ干渉への影響を減らしており、ＯＦＤＭ技術を使用して通信速度を最大５４Ｍｂｐｓまで向上させている。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの週は酢を使用して最大５４Ｍｐｂｓの通真相度を具現し、下位互換性（ｂａｃｋｗａｒｄ  ｃｏｍｐａｔｉｂｉｌｉｔｙ)を満足していて相当な注目を浴びたが、通信距離においてもＩＥＥＥ  ８０２．１１ａより優位にある。
【０００４】
そして、無線ＬＡＮで脆弱点として指摘されていた通信速度に関する限界を克服するために制定された技術規格として、ＩＥＥＥ  ８０２．１１ｎがある。ＩＥＥＥ  ８０２．１１ｎはネットワークの速度と信頼性を増加させ、無線ネットワークの運営距離を拡張するのにその目的がある。詳しくは、ＩＥＥＥ  ８０２．１１ｎではデータ処理速度が最大５４０Ｍｂｐｓ以上の高処理率（Ｈｉｇｈ  Ｔｈｒｏｕｇｈｐｕｔ、ＨＴ）を支援し、また、伝送エラーを最小化しデータの速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を複数個伝送するコーディング方式を使用している。
【０００５】
無線ＬＡＮの普及が活性化され、また、それを使用したアプリケーションが多様化するにつれ、ＩＥＥＥ  ８０２．１１ｎが支援するデータの処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要性が台頭している。そのうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されているが、従来の２．４ＧＨｚ帯域の製品との下位互換性のために、初期１１ａｃチップセットは２．４ＧＨｚ帯域での動作も支援すると考えられる。理論的に、この規格によると多重ステーションの無線ＬＡＮの速度は最小１Ｇｂｐｓ、最大単一リンク速度は最小５００Ｍｂｐｓまで可能になる。これはより広い無線周波数帯域幅（最大１６０ＭＨｚ）、より多いＭＩＭＯ空間的ストリーム（最大８個）、マルチユーザＭＩＭＯ、そして、高い密度の変調（最大２５６ＱＡＭ）など、８０２．１１ｎで受け入れられた無線インタフェースの概念を拡張して行われる。また、従来の２４ＧＨｚ／５ＧＨｚに代わって６０ＧＨｚバンドを利用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど、高いビットレート動画のストリーミングに適合している。しかし、６０ＧＨｚ周波数バンドは障害物の通過が難しく、近距離空間でのデバイスの間でのみ利用可能な短所がある。
【０００６】
一方、最近は８０２．１１ａｃ及び８０２．１１ａｄ以降の次世代無線ＬＡＮの標準として、高密度環境での高効率及び高性能の無線ＬＡＮ通信技術を提供するための論議が続けられている。つまり、次世代無線ＬＡＮ環境では高密度のステーションとＡＰ（Ａｃｃｅｓｓ  Ｐｏｉｎｔ）の存在下、室内外で高い周波数効率通信が提供されるべきであり、それを具現するために多様な技術が必要となる。
【発明の概要】
【発明が解決しようとする課題】
【０００７】
本発明は、上述したように、高密度環境における高効率／高性能の無線ＬＡＮ通信技術を提供することを目的とする。
【課題を解決するための手段】
【０００８】
前記のような課題を解決するために、本発明は、以下のような端末の無線通信方法及び無線通信端末を提供する。
【０００９】
まず、本発明の実施例によると、無線通信端末であって、通信部と、前記通信部を介して送受信される信号を処理するプロセッサと、を含み、前記プロセッサは、前記通信部を介してＨＥ  ＭＵ  ＰＰＤＵ（ｈｉｇｈ  ｅｆｆｉｃｉｅｎｃｙ  ｍｕｌｔｉ−ｕｓｅｒ ＰＨＹ ｐｒｏｔｏｃｏｌ  ｄａｔａ  ｕｎｉｔ）を受信するが、前記ＨＥ  ＭＵ  ＰＰＤＵのプリアンブルは、ＨＥ−ＳＩＧ−Ａ（Ｈｉｇｈ  Ｅｆｆｉｃｉｅｎｃｙ  Ｓｉｇｎａｌ  Ａ  ｆｉｅｌｄ）及びＨＥ−ＳＩＧ−Ｂ（Ｈｉｇｈ  Ｅｆｆｉｃｉｅｎｃｙ  Ｓｉｇｎａｌ  Ｂ  ｆｉｅｌｄ）を含み、前記ＨＥ−ＳＩＧ−Ａから獲得した情報に基づいて前記受信されたＨＥ  ＭＵ  ＰＰＤＵをデコーディングするが、前記ＨＥ−ＳＩＧ−Ｂの構成は、前記ＨＥ−ＳＩＧ−Ａの少なくとも一つのサブフィールドから獲得した情報に基づいて識別される無線通信端末が提供される。
【００１０】
また、本発明の実施例によると、無線通信端末の無線通信方法であって、ＨＥ  ＭＵ  ＰＰＤＵを受信するステップと、前記ＨＥ  ＭＵ  ＰＰＤＵのプリアンブルは、ＨＥ−ＳＩＧ−Ａ及びＨＥ−ＳＩＧ−Ｂを含み、前記ＨＥ−ＳＩＧ−Ａから獲得した情報に基づいて前記受信されたＨＥ  ＭＵ  ＰＰＤＵをデコーディングするステップと、を含むが、前記ＨＥ−ＳＩＧ−Ｂの構成は、前記ＨＥ−ＳＩＧ−Ａの少なくとも一つのサブフィールドから獲得した情報に基づいて識別される無線通信方法が提供される。
【００１１】
前記ＨＥ−ＳＩＧ−ＡのＳＩＧ−Ｂ圧縮フィールドが全体帯域幅ＭＵ−ＭＩＭＯ伝送を指示して前記ＨＥ−ＳＩＧ−Ｂに共通フィールドが存在しなければ、前記ＨＥ−ＳＩＧ−Ｂのユーザ特定フィールドの構成は、前記ＨＥ−ＳＩＧ−Ａの少なくとも一つのサブフィールドから獲得した情報に基づいて識別される。
【００１２】
前記ＨＥ−ＳＩＧ−ＡのＳＩＧ−Ｂ圧縮フィールドが全体帯域幅ＭＵ−ＭＩＭＯ伝送を指示すれば、前記ＨＥ−ＳＩＧ−Ａから指示されたＭＵ−ＭＩＭＯユーザの個数情報に基づいて前記ＨＥ−ＳＩＧ−Ｂのユーザ特定フィールドの構成が識別される。
【００１３】
前記ＨＥ−ＳＩＧ−Ｂのユーザ特定フィールドを構成するユーザフィールドのタイプは、ＭＵ−ＭＩＭＯ割当のためのユーザフィールドとｎｏｎ−ＭＵ−ＭＩＭＯ割当のためのユーザフィールドを含み、前記ＭＵ−ＭＩＭＯユーザの個数情報が２つ以上のユーザを指示すれば、前記ＨＥ−ＳＩＧ−Ｂのユーザ特定フィールドはＭＵ−ＭＩＭＯ割当のためのユーザフィールドからなり、前記ＭＵ−ＭＩＭＯユーザの個数情報が一つのユーザを指示すれば、前記ＨＥ−ＳＩＧ−Ｂのユーザ特定フィールドはｎｏｎ−ＭＵ−ＭＩＭＯ割当のための一つのユーザフィールドからなる。
【００１４】
前記ＭＵ−ＭＩＭＯ割当のためのユーザフィールドは、ＭＵ−ＭＩＭＯ割当における空間的ストリームの総個数と前記ＭＵ−ＭＩＭＯ割当における各端末のための空間的ストリーム個数を指示する空間構成フィールドを含み、前記ｎｏｎ−ＭＵ−ＭＩＭＯ割当のためのユーザフィールドは、ＮＳＴＳ（Ｎｕｍｂｅｒ  ｏｆ  Ｓｐａｔｉａｌ  Ｓｔｒｅａｍｓ）フィールドを含む。
【００１５】
前記ｎｏｎ−ＭＵ−ＭＩＭＯ割当のためのユーザフィールドは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）割当基盤のユーザフィールドである。
【００１６】
前記ＨＥ−ＳＩＧ−ＡのＳＩＧ−Ｂ圧縮フィールドが全体帯域幅ＭＵ−ＭＩＭＯ伝送を指示すれば、前記ＭＵ−ＭＩＭＯユーザの個数情報は、前記ＨＥ−ＳＩＧ−ＡにおいてＨＥ−ＳＩＧ−Ｂシンボルの個数フィールドによって指示される。
【００１７】
前記ＨＥ−ＳＩＧ−Ａは、前記ＰＰＤＵが上り伝送されるのかまたは下り伝送されるのかを指示する上り／下りフィールドを含み、前記ＰＰＤＵのＨＥ−ＳＩＧ−Ａの少なくとも一つのサブフィールドは、前記上り／下りフィールドが指示する値に基づいて異なる情報を指示するか異なるように設定される。
【００１８】
前記上り／下りフィールドが下り伝送を指示すれば、前記ＨＥ−ＳＩＧ−Ａの帯域幅フィールドの特定値は予め設定された不連続帯域を指示し、前記上り／下りフィールドが上り伝送を指示すれば、前記ＨＥ−ＳＩＧ−Ａの帯域幅フィールドの前記特定値は予め設定された狭帯域幅を指示する。
【００１９】
前記予め設定された狭帯域幅は、左−１０６−トーン及び右−１０６−トーンのうち少なくとも一つを含む。
【００２０】
前記上り／下りフィールドが下り伝送を指示すれば、前記ＨＥ−ＳＩＧ−ＡのＳＩＧ−Ｂ圧縮フィールドは、ＨＥ−ＳＩＧ−Ｂフィールドに共通フィールドが存在しない全体帯域幅ＭＵ−ＭＩＭＯ伝送の遂行可否を指示し、前記上り／下りフィールドが上り伝送を指示すれば、前記ＨＥ−ＳＩＧ−ＡのＳＩＧ−Ｂ圧縮フィールドは、ＨＥ−ＳＩＧ−Ｂフィールドに共通フィールドが存在しないことを常に指示する。
【００２１】
前記ＨＥ−ＳＩＧ−ＡのＳＩＧ−Ｂ圧縮フィールドがＨＥ−ＳＩＧ−Ｂフィールドの圧縮モードを指示する場合、前記上り／下りフィールドが下り伝送を指示すれば、前記ＨＥ−ＳＩＧ−ＡのＨＥ−ＳＩＧ−Ｂシンボルの個数フィールドはＭＵ−ＭＩＭＯユーザの個数情報を指示し、前記上り／下りフィールドが上り伝送を指示すれば、前記ＨＥ−ＳＩＧ−ＡのＨＥ−ＳＩＧ−Ｂシンボルの個数フィールドはＨＥ−ＳＩＧ−ＢフィールドにおけるＯＦＤＭシンボルの個数情報を指示する。
【発明の効果】
【００２２】
本発明の実施例によると、室内外環境においてマルチユーザ同時伝送を支援する無線ＬＡＮパケットの物理階層のヘッダフィールドを効率的に構成することができる。
【００２３】
本発明の実施例によると、競争基盤チャネル接近システムにおいて、全体資源の使用率を増加させ、無線ＬＡＮシステムの性能を向上させることができる。
【図面の簡単な説明】
【００２４】
【図１】本発明の一実施例による無線ＬＡＮシステムを示す図である。
【図２】本発明の他の実施例による無線ＬＡＮシステムを示す図である。
【図３】本発明の一実施例によるステーションの構成を示す図である。
【図４】本発明の一実施例によるアクセスポイントの構成を示す図である。
【図５】ＳＴＡがＡＰとリンクを設定する過程を概略的に示す図である。
【図６】無線ＬＡＮ通信で使用されるＣＳＭＡ（Ｃａｒｒｉｅｒ  Ｓｅｎｓｅ  Ｍｕｌｔｉｐｌｅ  Ａｃｃｅｓｓ）／ＣＡ（Ｃｏｌｌｉｓｉｏｎ  Ａｖｏｉｄａｎｃｅ）方法を示す図である。
【図７】ＲＴＳ（Ｒｅｑｕｅｓｔ  ｔｏ  Ｓｅｎｄ）フレームとＣＴＳ（Ｃｌｅａｒ  ｔｏ  Ｓｅｎｄ）フレームを利用したＤＣＦ（Ｄｉｓｔｒｉｂｕｔｅｄ  Ｃｏｏｒｄｉｎａｔｉｏｎ  Ｆｕｎｃｔｉｏｎ）の遂行方法を示す図である。
【図８】本発明の実施例によるマルチユーザ（Ｍｕｌｔｉ−Ｕｓｅｒ）伝送方法を示す図である。
【図９】本発明の実施例によるマルチユーザ（Ｍｕｌｔｉ−Ｕｓｅｒ）伝送方法を示す図である。
【図１０】レガシーＰＰＤＵフォーマットとノン−レガシーＰＰＤＵフォーマットの一実施例を示す図である。
【図１１】本発明の実施例による多様なＨＥ  ＰＰＤＵフォーマット及びそれの指示方法を示す図である。
【図１２】ＨＥ  ＰＰＤＵフォーマットによるＨＥ−ＳＩＧ−Ａフィールドの構成の実施例を示す図である。
【図１３】本発明の一実施例によるＨＥ−ＳＩＧ−Ｂフィールドの構成を示す図である。
【図１４】単一ＳＴＡとＡＰにＵＬ  ＭＵ  ＰＰＤＵを伝送する具体的な実施例を示す図である。
【図１５】単一ＳＴＡとＡＰにＵＬ  ＭＵ  ＰＰＤＵを伝送する具体的な実施例を示す図である。
【図１６】本発明の実施例によるＨＥ−ＳＩＧ−Ｂのエンコーディング構造及び伝送方法を示す図である。
【図１７】本発明の一実施例による不連続チャネル割当方法を示す図である。
【図１８】本発明の一実施例による広帯域接近方法を示す図である。
【図１９】不連続ＰＰＤＵを伝送するためのＢＱＲＰ及びＢＱＲの交換並びにシグナリング方法の一実施例を示す図である。
【図２０】不連続ＰＰＤＵを伝送するためのＢＱＲの伝送及びシグナリング方法の他の実施例を示す図である。
【図２１】本発明の一実施例によるＢＱＲの構成を示す図である。
【発明を実施するための形態】
【００２５】
本明細書で使用される用語は、本発明での機能を考慮してできる限り現在広く使用されている一般的な用語を選択しているが、これは該当技術分野に携わる技術者の意図、慣例、または新たな技術の出現などによって異なり得る。また、特定の場合は出願人が任意に選定した用語もあり、このような場合は該当する発明の説明部分でその意味を記載する。よって、本明細書で使用される用語は単なる用語の名称ではなく、その用語が有する実質的な意味と本明細書全般にわたる内容に基づいて解釈すべきであることを明らかにする。
【００２６】
明細書全体にわたって、ある構成が他の構成と「連結」されているとすると、これは「直接連結」されている場合だけでなく、その中間に他の構成要素を間に挟んで「電気的に連結」されている場合も含む。また、ある構成要素が特定の構成要素を「含む」とすると、これは特に反対する記載がない限り、他の構成要素を除くのではなく他の構成要素を更に含み得ることを意味する。加えて、特定臨界値を基準に「以上」または「以下」という限定事項は、実施例によってそれぞれ「超過」または「未満」に適切に代替され得る。
【００２７】
本出願は、韓国特許出願第１０−２０１７-０００３１４７号、及び第１０−２０１７-０００８９２７号に基づいた優先権を主張し、優先権の基礎となる前記各出願に述べられた実施例及び記載事項は、本出願の詳細な説明に含まれるとする。
【００２８】
図１は、本発明の一実施例による無線ＬＡＮシステムを示す図である。無線ＬＡＮシステムは、一つまたはそれ以上のベーシックサービスセット（Ｂａｓｉｃ  Ｓｅｒｖｉｃｅ  Ｓｅｔ、ＢＳＳ）を含むが、ＢＳＳは同期化に成功し互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００２９】
図１に示したように、インフラストラクチャＢＳＳ（ＢＳＳ１、ＢＳＳ２）は、一つ以上のステーション（ＳＴＡ１、ＳＴＡ２、ＳＴＡ３、ＳＴＡ４、ＳＴＡ５）、分配サービス（Ｄｉｓｔｒｉｂｕｔｉｏｎ  Ｓｅｒｖｉｃｅ）を提供するステーションであるアクセスポイント（ＰＣＰ／ＡＰ−１、ＰＣＰ／ＡＰ−２）、及び多数のアクセスポイント（ＰＣＰ／ＡＰ−１、ＰＣＰ／ＡＰ−２）を連結する分配システム（Ｄｉｓｔｒｉｂｕｔｉｏｎ  Ｓｙｓｔｅｍ、ＤＳ）を含む。
【００３０】
ステーション（Ｓｔａｔｉｏｎ、ＳＴＡ）は、ＩＥＥＥ  ８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インタフェースを含む任意のディバイスであって、広い意味では非アクセスポイントｎｏｎ−ＡＰステーションのみならずアクセスポイントＡＰを全て含む。また、本明細書において、「端末」とはｎｏｎ−ＡＰまたはＡＰを指すか、両者を全て指す用語として使用される。無線通信のためのステーションはプロセッサと通信部を含み、実施例によってユーザインタフェース部とディスプレーユニットなどを更に含む。プロセッサは無線ネットワークを介して伝送するフレームを生成するか、または前記無線ネットワークを介して受信されたフレームを処理し、その他にステーションを制御するための多様な処理を行う。そして、通信部は前記プロセッサと機能的に連結されており、ステーションのために無線ネットワークを介してフレームを送受信する。本発明において、端末はユーザ端末機（ｕｓｅｒ  ｅｑｕｉｐｍｅｎｔ、ＵＥ）を含む用語として使用される。
【００３１】
アクセスポイント（Ａｃｃｅｓｓ  Ｐｏｉｎｔ、ＡＰ）は、自らに結合された（ａｓｓｏｃｉａｔｅｄ）ステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定されている場合は非ＡＰステーションの間でも直接通信が可能である。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含む概念として使用されるが、広い意味では集中制御器、基地局（Ｂａｓｅ  Ｓｔａｔｉｏｎ、ＢＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。本発明において、ＡＰはベース無線通信端末とも称されるが、ベース無線通信端末は、広い意味ではＡＰ、ベースステーション（ｂａｓｅ  ｓｔａｔｉｏｎ）、ｅＮＢ（ｅＮｏｄｅＢ）、及びトランスミッションポイントＴＰを全て含む用語として使用される。それだけでなく、ベース無線通信端末は複数の無線通信端末との通信で通信媒介体（ｍｅｄｉｕｍ)資源を割り当て、スケジューリング（ｓｃｈｅｄｕｌｉｎｇ）を行う多様な形態の無線通信端末を含む。
【００３２】
複数のインフラストラクチャＢＳＳは、分配システムＤＳを介して互いに連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）という。
【００３３】
図２は、本発明の他の実施例による無線ＬＡＮシステムである独立ＢＳＳを示す図である。図２の実施例において、図１の実施例と同じであるか相応する部分は重複する説明を省略する。
【００３４】
図２に示したＢＳＳ３は独立ＢＳＳであってＡＰを含まないため、全てのステーション（ＳＴＡ６、ＳＴＡ７）がＡＰと接続されていない状態である。独立ＢＳＳは分配システムへの接続が許容されず、自己完備的ネットワーク（ｓｅｌｆ−ｃｏｎｔａｉｎｅｄ  ｎｅｔｗｏｒｋ)をなす。独立ＢＳＳにおいて、それぞれのステーション（ＳＴＡ６、ＳＴＡ７）はダイレクトに互いに連結される。
【００３５】
図３は、本発明の一実施例によるステーション１００の構成を示すブロック図である。図示したように、本発明の実施例によるステーション１００は、プロセッサ１１０、通信部１２０、ユーザインタフェース部１４０、ディスプレーユニット１５０、及びメモリ１６０を含む。
【００３６】
まず、通信部１２０は無線ＬＡＮパケットなどの無線信号を送受信し、ステーション１００に内蔵されるか外装されて備えられる。実施例によると、通信部１２０は互いに異なる周波数バンドを利用する少なくとも一つの通信モジュールを含む。例えば、前記通信部１２０は２．４ＧＨｚ、５ＧＨｚ、及び６０ＧＨｚなどの互いに異なる周波数バンドの通信モジュールを含む。一実施例によると、ステーション１００は６ＧＨｚ以上の周波数バンドを利用する通信モジュールと、６ＧＨｚ以下の周波数バンドを利用する通信モジュールを備える。それぞれの通信モジュールは、該当通信モジュールが支援する周波数バンドの無線ＬＡＮの規格に応じて、ＡＰまたは外部ステーションと無線通信を行う。通信部１２０は、ステーション１００の性能及び要求事項に応じて一度に一つの通信モジュールのみを動作させるか、同時に多数の通信モジュールを共に動作させてもよい。ステーション１００が複数の通信モジュールを含む場合、各通信モジュールはそれぞれ独立した形態に備えられてもよく、複数のモジュールが一つのチップに統合されて備えられてもよい。本発明の実施例において、通信部１２０はＲＦ（Ｒａｄｉｏ  Ｆｒｅｑｕｅｎｃｙ）信号を処理するＲＦ通信モジュールを示す。
【００３７】
次に、ユーザインタフェース１４０は、ステーション１００に備えられた多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は、多様な出力手段を利用してプロセッサ１１０の命令に基づいた出力を行う。
【００３８】
次に、ディスプレーユニット１５０は、ディスプレー画面にイメージを出力する。前記ディスプレーユニット１５０は、プロセッサ１１０によって行われるコンテンツ、またはプロセッサン１１０の制御命令に基づいたユーザインタフェースなどの多様なディスプレーオブジェクトを出力する。また、メモリ１６０は、ステーション１００で使用される制御プログラム及びそれによる各種データを貯蔵する。このような制御プログラムには、ステーション１００がＡＰまたは外部のステーションと接続を行うのに必要な接続プログラムが含まれる。
【００３９】
本発明のプロセッサ１１０は多様な命令またはプログラムを行い、ステーション１００内部のデータをプロセッシングする。また、前記プロセッサ１１０は上述したステーション１００の各ユニットを制御し、ユニット間のデータの送受信の制御する。本発明の実施例によると、プロセッサ１１０はメモリ１６０に貯蔵されたＡＰとの接続のためのプログラムを行い、ＡＰが伝送した通信設定メッセージを受信する。また、プロセッサ１１０は通信設定メッセージに含まれたステーション１００の優先条件に関する情報を読み取り、ステーション１００の優先条件に関する情報に基づいてＡＰに関する接続を要請する。本発明のプロセッサ１１０はステーション１００のメインコントロールユニットを指してもよく、実施例によってステーション１００の一部の構成、例えば、通信部１２０などを個別的に制御するためのコントロールユニットを指してもよい。つまり、プロセッサ１１０は通信部１２０から送受信される無線信号を変復調するモデム、または変復調部（ｍｏｄｕｌａｔｏｒ  ａｎｄ／ｏｒ  ｄｅｍｏｄｕｌａｔｏｒ）であってもよい。プロセッサ１１０は、本発明の実施例によるステーション１００の無線信号送受信の各種動作を制御する。それに関する詳しい実施例は後述する。
【００４０】
図３に示したステーション１００は本発明の一実施例によるブロック図であって、分離して示したブロックはディバイスのエレメントを論理的に区別して示したものである。よって、上述したディバイスのエレメントは、ディバイスの設計に応じて一つのチップまたは複数のチップに取り付けられる。例えば、前記プロセッサ１１０及び通信部１２０は一つのチップに統合されて具現されてもよく、別途のチップで具現されてもよい。また、本発明の実施例において、前記ステーション１００の一部の構成、例えば、ユーザインタフェース部１４０及びディスプレーユニット１５０などはステーション１００に選択的に備えられてもよい。
【００４１】
図４は、本発明の一実施例によるＡＰ２００の構成を示すブロック図である。図示したように、本発明の実施例によるＡＰ２００は、プロセッサ２１０、通信部２２０、及びメモリ２６０を含む。図４において、ＡＰ２００の構成のうち図３のステーション１００の構成と同じであるか相応する部分については重複する説明を省略する。
【００４２】
図４を参照すると、本発明によるＡＰ２００は少なくとも一つの周波数バンドでＢＳＳを運営するための通信部２２０を備える。図３の実施例で述べたように、前記ＡＰ２００の通信部２２０も互いに異なる周波数バンドを利用する複数の通信モジュールを含む。つまり、本発明の実施例によるＡＰ２００は互いに異なる周波数バンド、例えば２．４ＧＨｚ、５ＧＨｚ、６０ＧＨｚのうち２つ以上の通信のジュールを共に備える。好ましくは、ＡＰ２００は６ＧＨｚ以上の周波数バンドを利用する通信モジュールと、６ＧＨｚ以下の周波数バンドを利用する通信モジュールを備える。それぞれの通信モジュールは、該当通信モジュールが支援する周波数バンドの無線ＬＡＮの規格に従ってステーションと無線通信を行う。前記通信部２２０は、ＡＰ２００の性能及び要求事項に応じて一度に一つの通信モジュールのみを動作させるか、同時に多数の通信モジュールを共に動作させてもよい。本発明の実施例において、通信部２２０はＲＦ信号を処理するＲＦ通信モジュールを示す。
【００４３】
次に、メモリ２６０は、ＡＰ２００で使用される制御プログラム及びそれによる各種データを貯蔵する。このような制御プログラムには、ステーションの接続を管理する接続プログラムが含まれる。また、プロセッサ２１０はＡＰ２００の各ユニットを制御し、ユニット間のデータの送受信の制御する。本発明の実施例によると、プロセッサ２１０はメモリ２６０に貯蔵されたステーションとの接続のためのプログラムを行い、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は通信部２２０から送受信される無線信号を変復調するモデム、または変復調部である。プロセッサ２１０は、本発明の実施例によるＡＰ２００の無線信号送受信の各種動作を制御する。それに関する詳しい実施例は後述する。
【００４４】
図５は、ＳＴＡがＡＰとリンクを設定する過程を概略的に示す図である。
【００４５】
図５を参照すると、ＳＴＡ１００とＡＰ２００間のリンクは大きくスキャニング（ｓａｎｎｉｎｇ）、認証（ａｕｔｈｅｎｔｉｃａｔｉｏｎ）、及び結合（ａｓｓｏｃｉａｔｉｏｎ）の３つのステップを介して設定される。まず、スキャニングステップは、ＡＰ２００が運営するＢＳＳの接続情報をＳＴＡ１００が獲得するステップである。スキャニングを行うための方法としては、ＡＰ２００が周期的に伝送するビーコン（ｂｅａｃｏｎ）メッセージＳ１０１のみを活用して情報を獲得するパッシブスキャニング（ｐａｓｓｉｖｅ  ｓａｎｎｉｎｇ）方法と、ＳＴＡ１００がＡＰにプローブ要請（ｐｒｏｂｅ  ｒｅｑｕｅｓｔ）を伝送しＳ１０３、ＡＰからプローブ応答（ｐｒｏｂｅ  ｒｅｓｐｏｎｓｅ）を受信してＳ１０５、接続情報を獲得するアクティブスキャニング（ａｃｔｉｖｅ  ｓａｎｎｉｎｇ）方法がある。
【００４６】
スキャニングステップにおいて無線接続情報の受信に成功したＳＴＡ１００は、認証要請（ａｕｔｈｅｎｔｉｃａｔｉｏｎ  ｒｅｑｕｅｓｔ）を伝送しＳ１０７ａ、ＡＰ２００から認証応答（ａｕｔｈｅｎｔｉｃａｔｉｏｎ  ｒｅｓｐｏｎｓｅ）を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ）を伝送しＳ１０９ａ、ＡＰ２００から結合応答（ａｓｓｏｃｉａｔｉｏｎ  ｒｅｓｐｏｎｓｅ）を受信してＳ１０９ｂ、結合ステップを行う。本明細書において、結合とは基本的に無線結合を意味するが、本発明はこれに限らず、広い意味での結合は無線結合及び有線結合を全て含む。
【００４７】
一方、追加に８０２．１Ｘ基盤の認証ステップＳ１１１、及びＤＨＣＰを介したＩＰアドレス獲得ステップＳ１１３が行われる。図５において、サーバ３００はＳＴＡ１００と８０２．１Ｘ基盤の認証を処理するサーバであって、ＡＰ２００に物理的に結合されて存在するか、別途のサーバとして存在してもよい。
【００４８】
図６は、無線ＬＡＮ通信で使用されるＣＳＭＡ／ＣＡ方法を示す図である。
【００４９】
無線ＬＡＮ通信を行う端末は、データを伝送する前にキャリアセンシング（Ｃａｒｒｉｅｒ  Ｓｅｎｓｉｎｇ）を行ってチャネルが占有状態（ｂｕｓｙ）であるのか否かをチェックする。もし一定強度以上の無線信号が感知されれば該当チャネルが占有状態と判別され、前記端末は該当チャネル対するアクセスを遅延する。このような過程をクリアチャネル評価（Ｃｌｅａｒ  Ｃｈａｎｎｅｌ  Ａｓｓｅｓｓｍｅｎｔ、ＣＣＡ）といい、該当信号の感知有無を決定するレベルをＣＣＡ臨界値（ＣＣＡ  ｔｈｒｅｓｈｏｌｄ）という。もし端末に受信されたＣＣＡ臨界値以上の無線信号が該当端末を受信者とすれば、端末は受信された無線信号を処理する。一方、該当チャネルから無線信号が感知されないかＣＣＡ臨界値より小さい強度の無線信号が感知されれば、前記チャネルは遊休状態（ｉｄｌｅ）と判別される。
【００５０】
チャネルが遊休状態と判別されれば、伝送するデータがある各端末は、各端末の状況によるＩＦＳ（Ｉｎｔｅｒ Ｆｒａｍｅ  Ｓｐａｃｅ）、例えば、ＡＩＦＳ（Ａｒｂｉｔｒａｔｉｏｎ  ＩＦＳ）、ＰＩＦＳ（ＰＣＦ  ＩＦＳ）などの時間の後にバックオフ手順を行う。実施例によって、前記ＡＩＦＳは従来のＤＩＦＳ（ＤＣＦ  ＩＦＳ）を代替する構成として使用される。各端末は、該当端末に決定された乱数（ｒａｎｄｏｍ  ｎｕｍｂｅｒ）だけのスロットタイムを前記チャネルの遊休状態の間隔（ｉｎｔｅｒｖａｌ）の間に減少させながら待機し、スロットタイムを全て消尽した端末が該当チャネルに対するアクセスを試みる。このように、各端末がバックオフ手順を行う区間を競争ウィンドウ区間という。
【００５１】
もし特定端末が前記チャネルのアクセスに成功すれば、該当端末は前記チャネルを介してデータを伝送する。しかし、アクセスを試みた端末が他の端末と衝突すれば、衝突した端末はそれぞれ新しい乱数を割り当てられて更にバックオフ手順を行う。一実施例によると、各端末に新しく割り当てられる乱数は、該当端末が以前割り当てられた乱数の範囲（競争ウィンドウ、ＣＷ）の２倍の範囲（２＊ＣＷ）内で決定される。一方、各端末は、次の競争ウィンドウ区間で更にバックオフ手順を行ってアクセスを試みるが、この際、各端末は以前の競争ウィンドウ区間に残ったスロットタイムからバックオフ手順を行う。このような方法で無線ＬＡＮ通信を行う各端末は、特定チャネルに対する互いの衝突を回避することができる。
【００５２】
図７は、ＲＴＳフレームとＣＴＳフレームを利用したＤＣＦの遂行方法を示す図である。
【００５３】
ＢＳＳ内のＡＰ及びＳＴＡは、データを伝送するための権利を得るために競争する。以前のステップのデータ伝送が完了されれば、伝送するデータがある各端末はＡＩＦＳの時間が過ぎた後に各端末に割り当てられた乱数のバックオフカウンター（またはバックオフタイマー）を減少させながらバックオフ手順を行う。バックオフカウンターが満了された伝送端末はＲＴＳフレームを伝送し、該当端末が伝送するデータがあることを知らせる。図７の実施例によると、最小のバックオフで競争で優位を占めたＳＴＡ１がバックオフカウンターが満了してからＲＴＳフレームを伝送する。ＲＴＳフレームは、レシーバアドレス（ｒｅｃｉｅｖｅｒ  ａｄｄｒｅｓｓ）、トランスミッタアドレス（ｔｒａｎｓｍｉｔｔｅｒ  ａｄｄｒｅｓｓ）、及びデュレーション（ｄｕｒａｔｉｏｎ）などの情報を含む。ＲＴＳフレームを受信した受信端末（つまり、図７のＡＰ）は、ＳＩＦＳ（Ｓｈｏｒｔ  ＩＦＳ）の時間を待機した後、ＣＴＳフレームを伝送して伝送端末ＳＴＡ１にデータ伝送が可能であることを知らせる。ＣＴＳフレームは、レシーバアドレスとデュレーションなどの情報を含む。この際、ＣＴＳフレームのレシーバアドレスは、それに対応するＲＴＳフレームのトランスミッタアドレス、つまり、伝送端末ＳＴＡ１のアドレスと同じく設定される。
【００５４】
ＣＴＳフレームを受信した伝送端末ＳＴＡ１は、ＳＩＦＳの時間後にデータを伝送する。データ伝送が完了されれば、受信端末ＡＰはＳＩＦＳの時間後に応答ＡＣＫフレームを伝送してデータ伝送が完了したことを知らせる。予め設定された時間内に応答フレームを受信すれば、伝送端末はデータの伝送に成功したとみなす。しかし、予め設定された時間以内に応答フレームが受信されなかったら、伝送端末はデータの伝送に失敗したとみなす。一方、前記伝送過程の間にＲＴＳフレーム及びＣＴＳフレームのうち少なくとも一つを受信した周辺端末は、ＮＡＶ(Ｎｅｔｗｏｒｋ  Ａｌｌｏｃａｔｉｏｎ  Ｖｅｃｔｏｒ）を設定し、設定されたＮＡＶが満了されるまでデータの伝送を行わない。この際、各端末のＮＡＶは受信されたＲＴＳフレームまたはＣＴＳフレームのデュレーションフィールドに基づいて設定される。
【００５５】
上述したデータの伝送過程において、端末のＲＴＳフレームまたはＣＴＳフレームが干渉や衝突などの状況で目標端末（つまり、リシーバアドレスの端末）に正常的に伝送されなければ、次の過程の遂行が中断される。ＲＴＳフレームを伝送した伝送端末ＳＴＡ１はデータの伝送が不可能であるとみなし、新しい乱数を割り当てられて次回の競争に参加する。この際、新しく割り当てられる乱数は、上述したように、以前予め設定された乱数範囲（競争ウィンドウ、ＣＷ）の２倍の範囲（２＊ＣＷ）内で決定される。
【００５６】
ＵＬ−ＭＵ／ＤＬ−ＭＵ伝送の基本シーケンス
図８及び図９は、本発明の一実施例によるマルチユーザ伝送方法を示す図である。ＯＦＤＭＡまたは複数入力複数出力（Ｍｕｌｔｉ  Ｉｎｐｕｔ  Ｍｕｌｔｉ  Ｏｕｔｐｕｔ、ＭＩＭＯ）を利用すれば、一つの無線通信端末が複数の無線通信端末に同時にデータを伝送することができる。また、一つの無線通信端末は、複数の無線通信端末から同時にデータを受信することができる。例えば、ＡＰが複数のＳＴＡに同時にデータを伝送する下りリンクマルチユーザ（Ｄｏｗｎｌｉｎｋ  Ｍｕｌｔｉ−Ｕｓｅｒ、ＤＬ−ＭＵ）伝送、複数のＳＴＡがＡＰに同時にデータを伝送する上りリンクマルチユーザ（Ｕｐｌｉｎｋ  Ｍｕｌｔｉ−Ｕｓｅｒ、ＵＬ−ＭＵ）伝送が行われる。
【００５７】
図８は、本発明の実施例によるＵＬ−ＭＵ伝送過程を示す図である。ＵＬ−ＭＵ伝送が行われるためには、上り伝送を行う各ＳＴＡの使用チャネル及び伝送開始時点が調整されるべきである。ＵＬ−ＭＵ伝送の効率的なスケジューリングのためには、各ＳＴＡの状態情報がＡＰに伝達される必要がある。本発明の実施例によると、ＵＬ−ＭＵ伝送のスケジューリングのための情報は、パケットのプリアンブル及び／またはＭＡＣヘッダの予め設定されたフィールドを介して指示される。例えば、ＳＴＡは上り伝送パケットのプリアンブルまたはＭＡＣヘッダの予め設定されたフィールドを介してＵＬ−ＭＵ伝送スケジューリングのための情報を示し、それをＡＰに伝送する。この際、ＵＬ−ＭＵ伝送スケジューリングのための情報は、各ＳＴＡのバッファ状態（ｂｕｆｆｅｒ  ｓｔａｔｕｓ）情報、各ＳＴＡで測定されたチャネル状態情報のうち少なくとも一つを含む。ＳＴＡのバッファ状態情報は、該当ＳＴＡが伝送する上りデータを有しているのか否か、上りデータのアクセスカテゴリ（Ａｃｃｅｓｓ  Ｃａｔｅｇｏｒｙ、ＡＣ）、上りデータの大きさ（または、伝送所要時間）情報のうち少なくとも一つを示す。
【００５８】
本発明の実施例によると、ＵＬ−ＭＵ伝送過程はＡＰによって管理される。ＵＬ−ＭＵ伝送は、ＡＰが伝送するトリガー（ｔｒｉｇｇｅｒ）フレームの応答で行われる。ＳＴＡはトリガーフレームを受信した後、予め設定されたＩＦＳ時間（例えば、ＳＩＦＳ）の後に上りデータを同時に伝送する。トリガーフレームはＳＴＡのＵＬ−ＭＵ伝送を要請し、上り伝送ＳＴＡに割り当てられたチャネル（または、サブチャネル）情報を知らせる。ＡＰからトリガーフレームを受信すれば、複数のＳＴＡはそれに応じてそれぞれの割り当てられたチャネル（または、サブチャネル）を介して上りデータを伝送する。上りデータの伝送が完了された後、ＡＰは上りデータ伝送に成功したＳＴＡに対するＡＣＫを伝送する。この際、ＡＰは複数のＳＴＡに対するＡＣＫとして予め設定されたマルチ−ＳＴＡブロックＡＣＫ（Ｍｕｌｔｉ−ＳＴＡ  Ｂｌｏｃｋ  ＡＣＫ、Ｍ−ＢＡ）を伝送する。
【００５９】
ノン−レガシー無線ＬＡＮシステムでは、２０ＭＨｚ帯域のチャネルで特定個数のサブキャリア、例えば、２６、５２、または１０６個のトーン（ｔｏｎｅ）をサブチャネル単位の接続のためのリソースユニット（Ｒｅｓｏｕｒｃｅ  Ｕｎｉｔ、ＲＵ）として使用する。よって、トリガーフレームは、ＵＬ−ＭＵの伝送に参加する各ＳＴＡの識別情報と、割り当てられたリソースユニットの情報を示す。ＳＴＡの識別情報は、ＳＴＡのＡＩＤ（Ａｓｓｏｃｉａｔｉｏｎ  ＩＤ）、部分ＡＩＤ、ＭＡＣアドレスのうち少なくとも一つを含む。また、リソースユニットの情報は、リソースユニットの大きさ及び位置情報を含む。
【００６０】
一方、ノン−レガシー無線ＬＡＮシステムでは、特定リソースユニットに対する複数のＳＴＡの競争に基づいてＵＬ−ＭＵの伝送が行われる。例えば、特定リソースユニットに対するＡＩＤフィールドの値がＳＴＡに割り当てられない特定値（例えば、０）に設定されていれば、複数のＳＴＡは該当リソースユニットに対するランダムアクセス（Ｒａｎｄｏｍ  Ａｃｃｅｓｓ、ＲＡ）を試みる。
【００６１】
図９は、本発明の実施例によるＤＬ−ＭＵ伝送過程を示す図である。本発明の一実施例によると、ＤＬ−ＭＵ伝送過程におけるＮＡＶの設定のために、予め設定されたフォーマットのＲＴＳ及び／またはＣＴＳフレームが使用される。まず、ＡＰはＤＬ−ＭＵ伝送過程におけるＮＡＶ設定のためにマルチユーザＲＴＳ（ＭＵ−ＲＴＳ）フレームを伝送する。ＭＵ−ＲＴＳフレームのデュレーションフィールドは、ＤＬ−ＭＵ伝送セッションが終了される時点までと設定される。つまり、ＭＵ−ＲＴＳフレームのデュレーションフィールドは、ＡＰの下りデータ伝送及びＳＴＡのＡＣＫフレーム伝送が完了されるまでの期間に基づいて設定される。ＡＰの周辺端末は、ＡＰが伝送するＭＵ−ＲＴＳフレームのデュレーションフィールドに基づいてＤＬ−ＭＵ伝送セッションの終了時点までＮＡＶを設定する。一実施例によると、ＭＵ−ＲＴＳフレームはトリガーフレームのフォーマットからなり、ＳＴＡの同時（ｓｉｍｕｌｔａｎｅｏｕｓ）ＣＴＳ（ｓＣＴＳ）フレームの伝送を要請する。
【００６２】
ＡＰからＭＵ−ＲＴＳフレームを受信したＳＴＡ（ＳＴＡ１、ＳＴＡ２）は、ｓＣＴＳフレームを伝送する。複数のＳＴＡによって伝送されるｓＣＴＳフレームは、同じウェーブフォームを有する。つまり、第１チャネルを介してＳＴＡ１が伝送するｓＣＴＳフレームは、第１チャネルを介してＳＴＡ２が伝送するｓＣＴＳフレームと互いに同じウェーブフォームを有する。一実施例によると、ｓＣＴＳフレームはＭＵ−ＲＴＳフレームによって指示されたチャネルに伝送される。ｓＣＴＳフレームのデュレーションフィールドは、ＭＵ−ＲＴＳフレームのデュレーションフィールドの情報に基づいてＤＬ−ＭＵ伝送セッションが終了される時点までと設定される。つまり、ｓＣＴＳフレームのデュレーションフィールドは、ＡＰの下りデータ伝送及びＳＴＡのＡＣＫフレーム伝送が完了されるまでの期間に基づいて設定される。図９において、ＳＴＡ１及びＳＴＡ２の周辺端末は、ｓＣＴＳフレームのデュレーションフィールドに基づいてＤＬ−ＭＵ伝送セッションの終了時点までＮＡＶを設定する。
【００６３】
本発明の一実施例によると、ＭＵ−ＲＴＳフレーム及びｓＣＴＳフレームは、２０ＭＨｚチャネル単位で伝送される。よって、レガシー端末を含む周辺端末は、ＭＵ−ＲＴＳフレーム及び／またはｓＣＴＳフレームを受信してＮＡＶを設定する。ＭＵ−ＲＴＳフレーム及びｓＣＴＳフレームの伝送が完了されれば、ＡＰは下り伝送を行う。図９では、ＡＰがＳＴＡ１とＳＴＡ２にそれぞれＤＬ−ＭＵデータを伝送する実施例を示している。ＳＴＡはＡＰが伝送する下りデータを受信し、それに応じて上りＡＣＫを伝送する。
【００６４】
ＰＰＤＵフォーマット
図１０は、レガシーＰＰＤＵ（ＰＨＹ  Ｐｒｏｔｏｃｏｌ  Ｄａｔａ  Ｕｎｉｔ）フォーマットとノン−レガシーＰＰＤＵフォーマットの一実施例を示す。より詳しくは、図１０（ａ）は８０２．１１ａ／ｇに基づくレガシーＰＰＤＵフォーマットの一実施例を示し、図１０（ｂ）は８０２．１１ａｘに基づくン−レガシーＰＰＤＵ（つまり、ＨＥ  ＰＰＤＵ）フォーマットの一実施例を示す。また、図１０（ｃ）は前記ＰＰＤＵフォーマットで共通的に使用されるＬ−ＳＩＧ及びＲＬ−ＳＩＧの細部フィールドの構成を示す。
【００６５】
図１０（ａ）を参照すると、レガシーＰＰＤＵのプリアンブルはＬ−ＳＴＦ（Ｌｅｇａｃｙ  Ｓｈｏｒｔ  Ｔｒａｉｎｉｎｇ  ｆｉｅｌｄ）、Ｌ−ＬＴＦ（Ｌｅｇａｃｙ  Ｌｏｎｇ  Ｔｒａｉｎｉｎｇ  ｆｉｅｌｄ）、及びＬ−ＳＩＧ（Ｌｅｇａｃｙ  Ｓｉｇｎａｌ  ｆｉｅｌｄ）を含む。本発明の実施例において、前記Ｌ−ＳＴＦ、Ｌ−ＬＴＦ、及びＬ−ＳＩＧはレガシープリアンブルと称される。図１０（ｂ）を参照すると、ＨＥ  ＰＰＤＵのプリアンブルは、前記レガシープリアンブルにＲＬ−ＳＩＧ（Ｒｅｐｅａｔｅｄ  Ｌｅｇａｃｙ  Ｓｈｏｒｔ  Ｔｒａｉｎｉｎｇ  ｆｉｅｌｄ）、ＨＥ−ＳＩＧ−Ａ（Ｈｉｇｈ  Ｅｆｆｉｃｉｅｎｃｙ  Ｓｉｇｎａｌ  Ａ  ｆｉｅｌｄ）、ＨＥ−ＳＩＧ−Ｂ（Ｈｉｇｈ  Ｅｆｆｉｃｉｅｎｃｙ  Ｓｉｇｎａｌ  Ｂ  ｆｉｅｌｄ）、ＨＥ−ＳＴＦ（Ｈｉｇｈ  Ｅｆｆｉｃｉｅｎｃｙ  Ｓｈｏｒｔ  Ｔｒａｉｎｉｎｇ  ｆｉｅｌｄ）、ＨＥ−ＬＴＦ（Ｈｉｇｈ  Ｅｆｆｉｃｉｅｎｃｙ  Ｌｏｎｇ  Ｔｒａｉｎｉｎｇ  ｆｉｅｌｄ）を追加に含む。本発明の実施例において、前記ＲＬ−ＳＩＧ、ＨＥ−ＳＩＧ−Ａ、ＨＥ−ＳＩＧ−Ｂ、ＨＥ−ＳＴＦ、及びＨＥ−ＬＴＦはノンガシープリアンブルと称される。ノンガシープリアンブルの具体的な構成は、ＨＥ  ＰＰＤＵフォーマットに応じて変形される。例えば、ＨＥ−ＳＩＧ−ＢはＨＥ  ＰＰＤＵフォーマットのうち一部のフォーマットでのみ使用される。
【００６６】
ＰＰＤＵのプリアンブルに含まれたＬ−ＳＩＧは６４ＦＦＴ  ＯＦＤＭが適用され、計６４個のサブキャリアからなる。このうち、ガードサブキャリア、ＤＣサブキャリア、及びパイロットサブキャリアを除く４８個のサブキャリアがＬ−ＳＩＧのデータ伝送用に使用される。もし、ＢＰＳＫ、Ｒａｔｅ＝１／２のＭＣＳ（Ｍｏｄｕｌａｔｉｏｎ  ａｎｄ  Ｃｏｄｉｎｇ  Ｓｃｈｅｍｅ）が適用されれば、Ｌ−ＳＩＧは計２４ビットの情報を含む。図１０（ｃ）は、Ｌ−ＳＩＧの２４ビット情報の構成を示す。
【００６７】
図１０（ｃ）を参照すると、Ｌ−ＳＩＧはＬ＿ＲＡＴＥフィールドとＬ＿ＬＥＮＧＴＨフィールドを含む。Ｌ＿ＲＡＴＥフィールドは４ビットからなり、データの伝送に使用されたＭＣＳを示す。詳しくは、Ｌ＿ＲＡＴＥフィールドはＢＰＳＫ／ＱＰＳＫ／１６−ＱＡＭ／６４−ＱＡＭなどの変調方式と、１／２、２／３、３／４などの符号率を組み合わせた６／９／１２／１８／２４／３６／４８／５４Ｍｂｐｓの伝送速度のうち少なくとも一つの値を示す。Ｌ＿ＲＡＴＥフィールドとＬ＿ＬＥＮＧＴＨフィールドの情報を組み合わせると、該当ＰＰＤＵの総長を示すことができる。ノン−レガシーＰＰＤＵは、Ｌ＿ＲＡＴＥフィールドを最小速度である６Ｍｂｐｓに設定する。
【００６８】
Ｌ＿ＬＥＮＧＴＨフィールドは１２ビットからなり、Ｌ＿ＲＡＴＥフィールドとの組み合わせで該当ＰＰＤＵの長さを示すことができる。この際、レガシー端末とノン−レガシー端末は、Ｌ＿ＬＥＮＧＴＨフィールドを異なる方法で解析する。
【００６９】
まず、レガシー端末またはノン−レガシー端末がＬ＿ＬＥＮＧＴＨフィールドを利用して該当ＰＰＤＵの長さを解析する方法は以下のようである。Ｌ＿ＲＡＴＥフィールドが６Ｍｂｐｓに設定されれば、６４ＦＦＴの一つのシンボルデュレーションである４ｕｓの間、３バイト（つまり、２４ビット）が伝送される。よって、Ｌ＿ＬＥＮＧＴＨフィールド値にＳＶＣフィールド及びＴａｉｌフィールドに当たる３バイトを足し、それを一つのシンボルの伝送量である３バイトで割ると、Ｌ＿ＳＩＧ以降の６４ＦＦＴ基準のシンボル個数が獲得される。獲得されたシンボルの個数に一つのシンボルデュレーションである４ｕｓをかけた後、Ｌ−ＳＴＦ、Ｌ−ＬＴＦ、及びＬ−ＳＩＧの伝送に所要される２０ｕｓを足すと、該当ＰＰＤＵの長さ、つまり、受信時間（ＲＸＴＩＭＥ）が獲得される。これを数式で表すと、以下の数式１のようである。
【００７０】
【数１】
2020504570.tif 000003
【００７１】
この際、
【００７２】
【数２】
2020504570.tif 000004
【００７３】
はｘより大きいか同じである最小の自然数を示す。Ｌ＿ＬＥＮＧＨＴフィールドの最大値は４０９５であるため、ＰＰＤＵの長さは最大５．４６４ｍｓまでに設定される。該当ＰＰＤＵを伝送するノン−レガシー端末は、Ｌ＿ＬＥＮＧＴＨフィールドを以下の数式２のように設定すべきである。
【００７４】
【数３】
2020504570.tif 000005
【００７５】
ここで、ＴＸＴＩＭＥは該当ＰＰＤＵを構成する全体の伝送時間であって、以下の数式３のようである。この際、ＴｘはＸの伝送時間を示す。
【００７６】
【数４】
2020504570.tif 000006
【００７７】
前記数式を参照すると、ＰＰＤＵの長さはＬ＿ＬＥＮＧＴＨ／３を切り上げた値に基づいて計算される。よって、任意のｋ値に対し、Ｌ＿ＬＥＮＧＴＨ＝｛３ｋ＋１、３ｋ＋２、３（ｋ＋１）｝の３つの異なる値が同じＰＰＤＵの長さを指示するようになる。本発明の実施例によると、ノン−レガシー端末は同じＰＰＤＵの長さ情報を示す３つの異なるＬ＿ＬＥＮＧＴＨ値を利用して追加的なシグナリングを行う。より詳しくは、３つの互いに異なるＬ＿ＬＥＮＧＴＨ値のうち３ｋ＋１及び３ｋ＋２に当たる値は、ＨＥ  ＰＰＤＵフォーマットを指示するのに使用される。
【００７８】
図１１は、本発明の実施例による多様なＨＥ  ＰＰＤＵフォーマット及びそれの指示方法を示す図である。本発明の実施例によると、ＨＥ  ＰＰＤＵフォーマットは該当ＰＰＤＵのＬ＿ＬＥＮＧＴＨフィールドとＨＥ−ＳＩＧ−Ａに基づいて指示される。より詳しくは、ＨＥ  ＰＰＤＵフォーマットはＬ＿ＬＥＮＧＴＨフィールドの値とＨＥ−ＳＩＧ−Ａシンボルに適用された変調技法のうち少なくとも一つに基づいて指示される。
【００７９】
まず、図１１（ａ）を参照すると、Ｌ＿ＬＥＮＧＴＨフィールドの値が３ｋ＋１の形態であれば（つまり、ｍｏｄ３＝１であれば）、該当ＰＰＤＵはＨＥ  ＳＵ  ＰＰＤＵまたはＨＥ  Ｔｒｉｇｇｅｒ−ｂａｓｅｄ  ＰＰＤＵである。ＨＥ  ＳＵ  ＰＰＤＵはＡＰと単一ＳＴＡとの間のシングルユーザ（Ｓｉｎｇｌｅ−Ｕｓｅｒ）伝送のために使用されるＰＰＤＵであり、ＨＥ  Ｔｒｉｇｇｅｒ−ｂａｓｅｄ  ＰＰＤＵはトリガーフレームに対する応答である伝送のために使用される上りＰＰＤＵである。ＨＥ  ＳＵ  ＰＰＤＵとＨＥ  Ｔｒｉｇｇｅｒ−ｂａｓｅｄ  ＰＰＤＵは同じプリアングルフォーマットを有する。ＨＥ  ＳＵ  ＰＰＤＵ及びＨＥ  Ｔｒｉｇｇｅｒ−ｂａｓｅｄ  ＰＰＤＵの場合、ＨＥ−ＳＩＧ−Ａの２つのシンボルはそれぞれＢＰＳＫ及びＢＰＳＫに変調される。
【００８０】
図１１（ｂ）に示した本発明の追加的な実施例によると、Ｌ＿ＬＥＮＧＴＨフィールドの値が３ｋ＋１の形態であり（つまり、ｍｏｄ３＝１）、ＨＥ−ＳＩＧ−Ａの２つのシンボルがそれぞれＢＰＳＫ、ＱＢＰＳＫに変調されていれば、該当ＰＰＤＵは拡張ＰＰＤＵである。拡張ＰＰＤＵは、８０２．１１ａｘで支援するＰＰＤＵフォーマット以外の新しいＰＰＤＵフォーマットとして使用される。
【００８１】
次に、Ｌ＿ＬＥＮＧＴＨフィールドの値が３ｋ+２の形態であれば（つまり、ｍｏｄ＝２であれば）、該当ＰＰＤＵはＨＥ  ＭＵ  ＰＰＤＵまたはＨＥ  Ｅｘｔｅｎｄｅｄ  Ｒａｎｇｅ（ＥＲ）  ＳＵ  ＰＰＤＵである。ＨＥ  ＭＵ  ＰＰＤＵは一つ以上の端末への伝送のために使用されるＰＰＤＵである。ＨＥ  ＭＵ  ＰＰＤＵフォーマットは図１１（ｃ）に示されており、ノン−レガシープリアンブルにＨＥ−ＳＩＧ−Ｂを追加的に含む。ＨＥ  ＭＵ  ＰＰＤＵの場合、ＨＥ−ＳＩＧ−Ａの２つのシンボルはそれぞれＢＰＳＫ及びＢＰＳＫに変調される。一方、ＨＥ  ＥＲ  ＳＵ  ＰＰＤＵは拡張された範囲にある端末とのシングルユーザ伝送のために使用される。ＨＥ  ＥＲ  ＳＵ  ＰＰＤＵフォーマットは図１１（ｄ）に示されており、ノン−レガシープリアンブルのＨＥ−ＳＩＧ−Ａが時間軸で繰り返される。ＨＥ  ＥＲ  ＳＵ  ＰＰＤＵの場合、ＨＥ−ＳＩＧ−Ａの最初の２つのシンボルはそれぞれＢＰＳＫ及びＱＢＰＳＫに変調される。このように、ノン−レガシー端末は、Ｌ＿ＬＥＮＧＴＨフィールドの値に追加的にＨＥ−ＳＩＧ−Ａの２つのシンボルに使用された変調技法を介してＰＰＤＵフォーマットをシグナリングする。
【００８２】
図１１（ｃ）に示したＨＥ  ＭＵ  ＰＰＤＵは、ＡＰが複数のＳＴＡに下り伝送を行うために使用される。この際、ＨＥ  ＭＵ  ＰＰＤＵは複数のＳＴＡが該当ＰＰＤＵを同時に受信するためのスケジューリング情報を含む。それだけでなく、ＨＥ  ＭＵ  ＰＰＤＵは単一ＳＴＡがＡＰに上り伝送を行うために使用されてもよい。この際、ＨＥ  ＭＵ  ＰＰＤＵは、ＨＥ−ＳＩＧ−Ｂのユーザ特定（ｕｓｅｒ  ｓｐｅｃｉｆｉｃ）フィールドを介して該当ＰＰＤＵの受信者及び／または送信者のＡＩＤ情報を伝達する。よって、ＨＥ  ＭＵ  ＰＰＤＵを受信した端末は該当ＰＰＤＵのプリアンブルから獲得したＡＩＤ情報に基づいて空間的再使用（ｓｐａｔｉａｌ  ｒｅｕｓｅ）動作を行う。また、ＨＥ  ＭＵ  ＰＰＤＵを使用して一部の狭帯域を介してデータの伝送が行われる。ここで、狭帯域は２０ＭＨｚ未満の周波数帯域である。一実施例によると、ＨＥ  ＭＵ  ＰＰＤＵは狭帯域伝送に使用されるリソースユニットの割当情報をＨＥ−ＳＩＧ−Ｂを介して指示する。
【００８３】
より詳しくは、ＨＥ−ＳＩＧ−Ｂのリソースユニット割当（ｒｅｓｏｕｒｃｅ  ｕｎｉｔ  ａｌｌｏｃａｔｉｏｎ、ＲＡ）フィールドは、周波数ドメインから特定帯域幅（例えば、２０ＭＨｚ）におけるリソースユニット分割形態に関する情報を含む。また、分割された各リソースユニットに指定されたＳＴＡの情報は、ＨＥ−ＳＩＧ−Ｂのユーザ特定フィールドを介して伝達される。ユーザ特定フィールドは、分割された各リソースユニットに対応する一つ以上のユーザフィールドを含む。
【００８４】
分割されたリソースユニットのうち一部を利用した狭帯域伝送が行われれば、伝送が行われるリソースユニットはＨＥ−ＳＩＧ−Ｂのユーザ特定フィールドを介して指示される。一実施例によると、分割された複数のリソースユニットのうちデータ伝送が行われるリソースユニット（ら）に対応するユーザフィールドに受信者または送信者のＡＩＤが挿入され、データ伝送が行われない残りのリソースユニット（ら）に対応するユーザフィールドには予め設定されたヌル（Ｎｕｌｌ）ＳＴＡ  ＩＤが挿入される。本発明の他の実施例によると、データ伝送が行われないリソースユニットに対応する第１ユーザフィールドと、データ伝送が行われるリソースユニットに対応する第２ユーザフィールドを介して狭帯域伝送がシグナリングされる。より詳しくは、第１ユーザフィールドには予め設定されたヌルＳＴＡ  ＩＤが挿入され、データ伝送が行われるリソースユニット（ら）の位置情報が該当ユーザフィールドの残りのサブフィールドを介して指示される。次に、第２ユーザフィールドには受信者または送信者のＡＩＤが挿入される。このように、端末は第１ユーザフィールドに含まれる位置情報、及び第２ユーザフィールドに含まれるＡＩＤ情報を介して狭帯域伝送をシグナリングする。この際、分割されたリソースユニットの個数より少ない個数のユーザフィールドのみ利用されるため、シグナリングオーバヘッドが減るようにある。
【００８５】
ＨＥ  ＰＰＤＵのＨＥ−ＳＩＧ−Ａフィールド及びＨＥ−ＳＩＧ−Ｂフィールドの構成
図１２は、ＨＥ  ＰＰＤＵフォーマットによるＨＥ−ＳＩＧ−Ａフィールドの構成の実施例を示す図である。ＨＥ−ＳＩＧ−Ａは６４ＦＦＴの２つのシンボルからなり、ＨＥ  ＰＰＤＵの受信のための共通情報を指示する。ＨＥ−ＳＩＧ−Ａの最初のシンボルはＢＰＳＫに変調され、２番目のシンボルはＢＰＳＫまたはＱＢＰＳＫに変調される。ＨＥ  ＥＲ  ＳＵ  ＰＰＤＵでは、ＨＥ−ＳＩＧ−Ａの２つのシンボルが繰り返し伝送される。つまり、ＨＥ  ＥＲ  ＳＵ  ＰＰＤＵのＨＥ−ＳＩＧ−Ａは４つのシンボルからなるが、このうち最初のシンボルと２番目のシンボルが同じデータビットを有し、３番目のシンボルと４番目のシンボルが同じデータビットを有する。
【００８６】
まず、図１２（ａ）は、ＨＥ  ＳＵ  ＰＰＤＵのＨＥ−ＳＩＧ−Ａフィールドのサブフィールドの構成を示す。一実施例によると、ＨＥ  ＥＲ  ＳＵ  ＰＰＤＵのＨＥ−ＳＩＧ−Ａフィールドもこれと同じく構成される。ＨＥ−ＳＩＧ−Ａに含まれた各フィールドの機能を説明すると以下のようである。
【００８７】
上り／下りフィールドは、該当ＰＰＤＵの伝送方向を指示する。つまり、前記フィールドは、該当ＰＰＤＵが上がり伝送であるのかまたは下り伝送であるのかを指示する。フォーマットフィールドは、ＨＥ  ＳＵ  ＰＰＤＵとＨＥ  Ｔｒｉｇｇｅｒ−ｂａｓｅｄ  ＰＰＤＵを区分するのに使用される。ＢＳＳカラーフィールドは６ビットからなり、該当ＰＰＤＵを伝送した端末に対応するＢＳＳの識別子を指示する。空間的再使用フィールドは、該当ＰＰＤＵが伝送される間に空間的再使用伝送を行おうとする端末が参照し得るＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、伝送パワーなどの情報を伝達する。
【００８８】
ＴＸＯＰデュレーションフィールドは、ＴＸＯＰ保護及びＮＡＶ設定のためのデュレーション情報を示す。前記フィールドは該当ＰＰＤＵの後に継続的な伝送が行われるＴＸＯＰ区間のデュレーションを設定し、周辺端末が該当期間の間にＮＡＶを設定するようにする。帯域幅フィールドは、該当ＰＰＤＵが伝送される総帯域の幅を示す。一実施例によると、帯域幅フィールドは２ビットからなるが、２０ＭＨｚ、４０ＭＨｚ、８０ＭＨｚ、及び１６０ＭＨｚ（８０＋８０ＭＨｚを含む）のうちいずれか一つを指示する。ＭＣＳフィールドは、該当ＰＰＤＵのデータフィールドに適用されたＭＣＳ値を指示する。ＣＰ＋ＬＴＦサイズフィールドは、ＣＰ（Ｃｙｃｌｉｃ  Ｐｒｅｆｉｘ）またはＧＩ（Ｇｕａｒｄ  Ｉｎｔｅｒｖａｌ）のデュレーションとＨＥ−ＬＴＦのサイズを指示する。より詳しくは、前記フィールドは１ｘ、２ｘ、４ｘ、ＨＥ−ＬＴＦのうち使用されたＨＥ−ＬＴＦのサイズ、そして０．８ｕｓ、１．６ｕｓ、３．２ｕｓのうちデータフィールドに使用されたＣＰ（または、ＧＩ）値の組み合わせを示す。
【００８９】
コーディングフィールドは、ＢＣＣ（Ｂｉｎａｒｙ  Ｃｏｎｖｏｌｕｔｉｏｎａｌ  Ｃｏｄｅ）及びＬＤＰＣ（Ｌｏｗ  Ｄｅｎｓｉｔｙ  Ｐａｒｉｔｙ  Ｃｈｅｃｋ）のうちいずれのコーディング技法が使用されているのかを指示する。また、前記フィールドはＬＤＰＣのための追加のＯＦＤＭシンボルの存在可否を指示する。ＮＳＴＳ（Ｎｕｍｂｅｒ  ｏｆ  Ｓｐａｃｅ  Ｔｉｍｅ  Ｓｔｒｅａｍｓ）フィールドは、ＭＩＭＯ伝送に使用される空間−時間ストリームの個数を指示する。ＳＴＢＣ（Ｓｐａｃｅ  Ｔｉｍｅ  Ｂｌｏｃｋ  Ｃｏｄｉｎｇ）フィールドは、空間−時間ブロックコーディングが使用されたのか否かを指示する。ＴｘＢＦ（Ｔｒａｎｓｍｉｔ  Ｂｅａｍｆｏｒｍｉｎｇ）フィールドは、該当ＰＰＤＵの伝送にビームフォーミングが適用されたのか否かを示す。ＤＣＭ（Ｄｕａｌ  Ｃａｒｒｉｅｒ  Ｍｏｄｕｌａｔｉｏｎ）フィールドは、データフィールドにデュアルキャリアモジュレーションが適用されたのか否かを指示する。デュアルキャリアモジュレーションは、狭帯域干渉に備えて２つのサブキャリアに同じ情報を伝送する。パケット拡張フィールドは、該当ＰＰＤＵにどのようなレベルのパケット拡張が適用されたのかを指示する。ビーム交換フィールドは、該当ＰＰＤＵのＨＥ−ＳＴＦ以前の部分がＨＥ−ＬＴＦと空間的に異なるようにマッピングされるのか否かを指示する。ＣＲＣフィールド及びテールフィールドは、それぞれ前記ＨＥ−ＳＩＧ−Ａフィールド情報の真偽を判別し、ＢＣＣデコーダを初期化するのに使用される。
【００９０】
次に、図１２（ｂ）は、ＨＥ  ＭＵ  ＰＰＤＵのＨＥ−ＳＩＧ−Ａフィールドのサブフィールドの構成を示す。図１２（ｂ）のサブフィールドのうち、図１２（ａ）で説明したサブフィールドと同じサブフィールドについては重複する説明を省略する。
【００９１】
上り／下りフィールドは、該当ＰＰＤＵの伝送方向を指示する。つまり、前記フィールドは、該当ＰＰＤＵが上がり伝送であるのかまたは下り伝送であるのかを指示する。ＨＥ  ＭＵ  ＰＰＤＵの帯域幅フィールドは、ＨＥ  ＳＵ  ＰＰＤＵの帯域幅に加えて追加的な帯域幅を指示する。つまり、ＨＥ  ＭＵ  ＰＰＤＵの帯域幅フィールドは３ビットからなるが、２０ＭＨｚ、４０ＭＨｚ、８０ＭＨｚ、１６０ＭＨｚ（８０＋８０ＭＨｚを含む）、及び予め設定された不連続帯域のうちいずれか一つを指示する。予め設定された不連続帯域の具体的な実施例は後述する。
【００９２】
ＳＩＧ−Ｂ  ＭＣＳフィールドは、ＨＥ−ＳＩＧ−Ｂフィールドに適用されたＭＣＳを指示する。ＨＥ−ＳＩＧ−Ｂは、シグナリングが必要な情報量に応じて、ＭＣＳ０からＭＣＳ５の間の可変ＭＣＳが適用される。ＣＰ＋ＬＴＦサイズフィールドは、ＣＰまたはＧＩのデュレーションとＨＥ−ＬＴＦのサイズを指示する。前記フィールドは、２ｘ、４ｘ、ＨＥ−ＬＴＦのうち使用されたＨＥ−ＬＴＦのサイズ、そして０．８ｕｓ、１．６ｕｓ、３．２ｕｓのうちからデータフィールドに使用されたＣＰ（または、ＧＩ）値の組み合わせを示す。
【００９３】
ＳＩＧ−Ｂ圧縮フィールドは、ＨＥ−ＳＩＧ−Ｂフィールドの圧縮モードの使用可否を指示する。ＨＥ  ＭＵ  ＰＰＤＵが全体帯域幅（ｆｕｌｌ  ｂａｎｄｗｉｄｔｈ）でＭＵ−ＭＩＭＯを利用して伝送されれば、各２０ＭＨｚ帯域別のリソースユニット割当情報は不必要になる。よって、全体帯域幅ＭＵ−ＭＩＭＯ伝送において、ＳＩＧ−Ｂ圧縮フィールドはＨＥ−ＳＩＧ−Ｂフィールドの圧縮モードを指示するが、この際、リソースユニット割当フィールドを含む共通フィールドはＨＥ−ＳＩＧ−Ｂフィールドに存在しない。ＳＩＧ−Ｂ  ＤＣＭフィールドは、ＨＥ−ＳＩＧ−Ｂフィールドの安定的な伝送のために該当フィールドがＤＣＭに変調された否かを指示する。ＨＥ−ＳＩＧ−Ｂシンボルの個数フィールドは、ＨＥ−ＳＩＧ−ＢフィールドにおけるＯＦＤＭシンボルの個数情報を指示する。
【００９４】
一方、後述するように、ＨＥ  ＭＵ  ＰＰＤＵが４０ＭＨｚ以上の帯域で伝送される場合、ＨＥ−ＳＩＧ−Ｂは２０ＭＨｚ単位で２種類のコンテンツチャネルからなる。これを、それぞれＨＥ−ＳＩＧ−Ｂコンテンツチャネル１、及びＨＥ−ＳＩＧ−Ｂコンテンツチャネル２とする。本発明の一実施例によると、ＨＥ−ＳＩＧ−Ｂコンテンツチャネル１とＨＥ−ＳＩＧ−Ｂコンテンツチャネル２に適用されるＭＣＳを異なるようにすれば、各チャネルにおけるＨＥ−ＳＩＧ−Ｂのシンボル数が同じく維持される。ＨＥ  ＭＵ  ＰＰＤＵのＨＥ−ＳＩＧ−ＡフィールドはＳＩＧ−ＢデュアルＭＣＳフィールドを含むが、該当フィールドを介してＨＥ−ＳＩＧ−Ｂコンテンツチャネル１とＨＥ−ＳＩＧ−Ｂコンテンツチャネル２に適用されたＭＣＳが互いに異なるのか否かが指示される。
【００９５】
本発明の実施例によると、ＳＩＧ−Ｂ圧縮フィールドがＨＥ−ＳＩＧ−Ｂフィールドの圧縮モードを指示すれば（つまり、全体帯域幅ＭＵ−ＭＩＭＯ伝送を指示すれば）、ＨＥ−ＳＩＧ−Ａの特定サブフィールドはＭＵ−ＭＩＭＯユーザの個数情報を指示する。例えば、全体帯域幅ＭＵ−ＭＩＭＯ伝送が行われれば、ＨＥ−ＳＩＧ−Ｂコンテンツチャネル１とＨＥ−ＳＩＧ−Ｂコンテンツチャネル２は互いに異なるＭＣＳを介して情報量を分散する必要がない。よって、ＳＩＧ−Ｂ圧縮フィールドがＨＥ−ＳＩＧ−Ｂフィールドの圧縮モードを指示すれば、ＨＥ−ＳＩＧ−ＡのＳＩＧ−ＢデュアルＭＣＳフィールドはＭＵ−ＭＩＭＯユーザの個数情報を指示する。同じく、全体帯域幅ＭＵ−ＭＩＭＯ伝送が行われれば、それぞれのＨＥ−ＳＩＧ−Ｂコンテンツチャネルのシンボルの個数情報が個別的に伝達される必要がない。よって、ＳＩＧ−Ｂ圧縮フィールドがＨＥ−ＳＩＧ−Ｂフィールドの圧縮モードを指示すれば、ＨＥ−ＳＩＧ−ＡのＨＥ−ＳＩＧ−Ｂシンボルの個数フィールドはＭＵ−ＭＩＭＯユーザの個数情報を指示する。このように、ＨＥ−ＳＩＧ−Ｂリソースユニット割当フィールドが省略された圧縮モードにおいて、ＨＥ−ＳＩＧ−Ａの特定サブフィールドを介してＭＵ−ＭＩＭＯユーザの個数情報が指示される。
【００９６】
本発明の追加的な実施例によると、ＨＥ  ＭＵ  ＰＰＤＵのＨＥ−ＳＩＧ−Ａフィールドの一部のサブフィールドは、複数のサブフィールドの組み合わせを介して上述した実施例とは異なる情報をシグナリングする。上述したように、ＨＥ  ＭＵ  ＰＰＤＵはＡＰが複数のＳＴＡに下り伝送を行うため使用されるだけでなく、単一ＳＴＡがＡＰに上り伝送を行うために使用されてもよい。本発明の一実施例によると、ＨＥ  ＭＵ  ＰＰＤＵのＨＥ−ＳＩＧ−Ａフィールドの特定サブフィールドは、上り／下りフィールドが指示する値に基づいて異なる情報を指示するか異なるように設定される。
【００９７】
まず、帯域幅フィールドは上り／下りフィールド指示する値に基づいて異なる情報を指示する。上り／下りフィールドが下り伝送を指示すれば、帯域幅フィールドは２０ＭＨｚ、４０ＭＨｚ、８０ＭＨｚ、１６０ＭＨｚ（８０＋８０ＭＨｚを含む）、及び予め設定された不連続帯域のうちいずれか一つを指示する。３ビットの帯域幅フィールドにおいて、０〜３の値は２０ＭＨｚ、４０ＭＨｚ、８０ＭＨｚ、１６０ＭＨｚ（８０＋８０ＭＨｚを含む）をそれぞれ指示し、４〜７の値のうちいずれか一つは予め設定された不連続帯域のうち一つを指示する。しかし、不連続帯域幅のＰＰＤＵは下り伝送でのみ使用可能である。よって、帯域幅フィールドの特定値（つまり、４〜７のうち一つ以上の値）は、上り／下りフィールドが下り伝送を指示する場合と上り伝送を指示する場合に異なる情報を示す。
【００９８】
例えば、上り／下りフィールドが上り伝送を指示すれば、帯域幅フィールドは２０ＭＨｚ、４０ＭＨｚ、８０ＭＨｚ、１６０ＭＨｚ（８０＋８０ＭＨｚを含む）、及び予め設定された狭帯域幅のうちいずれか一つを指示してもよい。つまり、３ビットの帯域幅フィールドにおいて、０〜３の値は２０ＭＨｚ、４０ＭＨｚ、８０ＭＨｚ、１６０ＭＨｚ（８０＋８０ＭＨｚを含む）をそれぞれ指示し、４〜７の値のうちいずれか一つは予め設定された狭帯域幅のうちいずれか一つを指示する。一実施例によると、予め設定された狭帯域幅は、左−１０６−トーン、及び右−１０６−トーンを含む。この際、２０ＭＨｚ主チャネルを構成する２４２−トーンのうち、左−１０６−トーンは低い周波数の１０６−トーンリソースユニットを指し、右−１０６−トーンは高い周波数の１０６−トーンリソースユニットを指す。但し、本発明はこれに限らず、予め設定された狭帯域幅は２６−トーンリソースユニット、５２−トーンリソースユニット、１０６−トーンリソースユニットのうちいずれか一つ以上、またはこれらの組み合わせを含んでもよい。
【００９９】
このように、ＵＬ  ＭＵ  ＰＰＤＵを伝送する際には、２０ＭＨｚ帯域内の予め設定された狭帯域を介したデータ伝送が行われる。狭帯域伝送に使用されるリソースユニットの割当情報は、ＨＥ−ＳＩＧ−Ｂのリソースユニット割当フィールド及びユーザ特定フィールドを介して指示されてもよいが、この場合、シグナリングオーバーヘッドが大きい恐れがある。よって、本発明の一実施例によると、上りリンク狭帯域伝送は、ＨＥ  ＭＵ  ＰＰＤＵのＨＥ−ＳＩＧ−Ａの帯域幅フィールドを介して指示される。
【０１００】
次に、ＳＩＧ−Ｂ圧縮フィールドは、上り／下りフィールドが指示する値に基づいて異なるように設定される。ＳＩＧ−Ｂ圧縮フィールドは、ＨＥ−ＳＩＧ−Ｂフィールドの圧縮モードの使用可否を指示する。ＳＩＧ−Ｂ圧縮フィールドがＨＥ−ＳＩＧ−Ｂフィールドの圧縮モードを指示すれば、リソースユニット割当フィールドを含む共通フィールドはＨＥ−ＳＩＧ−Ｂフィールドに存在しない。本発明の実施例によると、ＳＩＧ−Ｂ圧縮フィールドは、上り／下りフィールドが下り伝送を指示する場合と上り伝送を指示する場合に異なる規則をよって設定される。
【０１０１】
より詳しくは、上り／下りフィールドが下り伝送を指示すれば、ＳＩＧ−Ｂ圧縮フィールドは全体帯域幅ＭＵ−ＭＩＭＯ伝送の遂行可否を指示する。つまり、全体帯域幅ＭＵ−ＭＩＭＯの伝送が行われれば、ＳＩＧ−Ｂ圧縮フィールドの値は１に設定される。そうでなければ、ＳＩＧ−Ｂ圧縮フィールドはの値は０に設定される。しかし、単一ＳＴＡのＵＬ  ＭＵ  ＰＰＤＵ伝送の際には、リソース割当ユニットフィールドのシグナリングが不必要である。よって、上り／下りフィールドが上り伝送を指示すれば、ＳＩＧ−Ｂ圧縮フィールドは常に１に設定される。つまり、上り／下りフィールドが上り伝送を指示すれば、ＳＩＧ−Ｂ圧縮フィールドはＨＥ−ＳＩＧ−Ｂフィールドに共通フィールドが存在しないことを常に指示する。全体帯域幅ＭＵ−ＭＩＭＯ伝送が行われなくても、上り伝送のＨＥ−ＳＩＧ−Ｂのシグナリングオーバーヘッドを減らすためにＨＥ−ＳＩＧ−Ｂフィールドの圧縮モードが使用される。よって、ＵＬ  ＭＵ  ＰＰＤＵのＨＥ−ＳＩＧ−Ｂフィールドでは共通フィールドが省略される。
【０１０２】
次に、ＨＥ−ＳＩＧ−Ｂシンボルの個数フィールドは、上り／下りフィールドが指示する値に少なくとも部分的に基づいて異なる情報を指示する。より詳しくは、ＨＥ−ＳＩＧ−Ｂシンボルの個数フィールドは、上り／下りフィールドが指示する値及びＳＩＧ−Ｂ圧縮フィールドの値に基づいて互いに異なる情報を指示する。
【０１０３】
ＨＥ−ＳＩＧ−Ｂシンボルの個数フィールドは、基本的にＨＥ−ＳＩＧ−ＢフィールドにおけるＯＦＤＭシンボルの個数情報を指示する。しかし、上述した実施例のように、上り／下りフィールドが下り伝送を指示し、ＳＩＧ−Ｂ圧縮フィールドがＨＥ−ＳＩＧ−Ｂフィールドの圧縮モードを指示すれば、ＨＥ−ＳＩＧ−ＡのＨＥ−ＳＩＧ−Ｂシンボルの個数フィールドはＭＵ−ＭＩＭＯユーザの個数情報を指示する。この際、ＨＥ−ＳＩＧ−Ｂフィールドのユーザ特定フィールドは、ＭＵ−ＭＩＭＯ割当のためのユーザフィールドからなる。一方、ＵＬ  ＭＵ  ＰＰＤＵのＳＩＧ−Ｂ圧縮フィールドの値が１に設定されれば、全体帯域幅ＭＵ−ＭＩＭＯ伝送を指示するのではなく、リソースユニット割当フィールドの省略を意図する可能性がある。よって、上り／下りフィールドが上がり伝送を指示し、ＳＩＧ−Ｂ圧縮フィールドがＨＥ−ＳＩＧ−Ｂフィールドの圧縮モードを指示すれば、ＨＥ−ＳＩＧ−ＡのＨＥ−ＳＩＧ−Ｂシンボルの個数フィールドは、基本的な定義のようにＨＥ−ＳＩＧ−ＢフィールドにおけるＯＦＤＭシンボルの個数情報を指示する。この際、ＨＥ−ＳＩＧ−Ｂフィールドのユーザ特定フィールドは、ｎｏｎ−ＭＵ−ＭＩＭＯ割当のためのユーザフィールドからなる。一実施例によると、ＵＬ  ＭＵ  ＰＰＤＵは単一ＡＰに伝送されるため、ＨＥ−ＳＩＧ−Ｂフィールドのユーザ特定フィールドはｎｏｎ−ＭＵ−ＭＩＭＯ割当のためのユーザフィールドを一つのみ含む。
【０１０４】
次に、図１２（ｃ）は、ＨＥ  Ｔｒｉｇｇｅｒ−ｂａｓｅｄ  ＰＰＤＵのＨＥ−ＳＩＧ−Ａフィールドのサブフィールドの構成を示す。図１２（ｃ）のサブフィールドのうち、図１２（ａ）または図１２（ｂ）で説明したサブフィールドと同じサブフィールドについては重複する説明を省略する。
【０１０５】
フォーマットフィールドは、ＨＥ  ＳＵ  ＰＰＤＵとＨＥ  Ｔｒｉｇｇｅｒ−ｂａｓｅｄ  ＰＰＤＵを区分するのに使用される。また、ＨＥ  Ｔｒｉｇｇｅｒ−ｂａｓｅｄ  ＰＰＤＵは上述したＢＳＳカラーフィールド、ＴＸＯＰデュレーションフィールドを含む。ＨＥ  Ｔｒｉｇｇｅｒ−ｂａｓｅｄ  ＰＰＤＵの空間的再使用フィールドは１６ビットからなり、総帯域幅（ｔｏｔａｌ  ｂａｎｄｗｉｄｔｈ）に応じて２０ＭＨｚまたは４０ＭＨｚ単位で空間的再使用動作のための情報を伝達する。帯域幅フィールドは２ビットからなり、２０ＭＨｚ、４０ＭＨｚ、８０ＭＨｚ、及び１６０ＭＨｚ（８０＋８０ＭＨｚを含む）のうちいずれか一つを指示する。
【０１０６】
図１３は、本発明の一実施例によるＨＥ−ＳＩＧ−Ｂフィールドの構成を示す図である。ＨＥ−ＳＩＧ−ＢフィールドはＨＥ  ＭＵ  ＰＰＤＵに存在し、２０ＭＨｚ単位で伝送される。また、ＨＥ−ＳＩＧ−ＢフィールドはＨＥ  ＭＵ  ＰＰＤＵを受信するために必要な情報を指示する。図１３（ａ）に示したように、ＨＥ−ＳＩＧ−Ｂは共通フィールドとユーザ特定フィールドからなる。
【０１０７】
図１３（ｂ）は、ＨＥ−ＳＩＧ−Ｂの共通フィールドのサブフィールド構成の一実施例を示す。まず、共通フィールドはリソースユニット割当ＲＡフィールドを含む。１３（ｃ）は、ＲＡフィールドの一実施例を示す。
【０１０８】
図１３（ｃ）を参照すると、ＲＡフィールドは周波数ドメインで特定帯域幅（例えば、２０ＭＨｚ）のリソースユニット割当に関する情報を含む。より詳しくは、ＲＡフィールドは８ビット単位からなり、特定帯域幅を構成するリソースユニットの大きさと周波数ドメインにおけるそれらの配列をインデクシングする。また、ＲＡフィールドは各リソースユニットにおけるユーザの数を指示する。ＰＰＤＵが伝送される総帯域幅が予め設定された帯域幅（例えば、４０ＭＨｚ）より大きければ、ＲＡフィールドは８ビットの倍数の大きさに設定されて前記特定帯域幅単位で情報を伝達する。
【０１０９】
分割された各リソースユニットは、一般に一つのユーザに割り当てられる。しかし、一定帯域幅（例えば、１０６−トーン）以上のリソースユニットは、ＭＵ−ＭＩＭＯを利用して複数のユーザに割り当てられる。この際、ＲＡフィールドは該当リソースユニットのユーザ数情報を指示する。それだけでなく、ＲＡフィールドはユーザ特定フィールドが伝送されない特定のリソースユニット、つまり、ユーザに割り当てられない特定リソースユニット（つまり、空きＲＵ）を予め設定されたインデックスを介して指示する。一実施例によると、特定リソースユニットは２０ＭＨｚチャネルの倍数の帯域幅を有するリソースユニットＲＵ、つまり、２４２−トーンＲＵ、４８４−トーンＲＵ、９９６−トーンＲＵなどを含む。前記インデックス値が指示する空き（ｅｍｐｔｙ）ＲＵでは、データの伝送が行われない。このように、端末は、ＨＥ−ＳＩＧ−ＢのＲＡフィールドの予め設定されたインデックスを介して２０ＭＨｚ単位の不連続チャネル割当情報をシグナリングする。
【０１１０】
本発明の一実施例によると、８０ＭＨｚ以上の応対域幅でＰＰＤＵが伝送されれば、共通フィールドは８０ＭＨｚにおける中央２６−トーンＲＵがユーザに割り当てられたのか否かを示すフィールド（以下、Ｃ２６フィールド）を更に含む。前記Ｃ２６フィールドは、共通フィールド内でＲＡフィールドの前または後に位置する１ビットの指示子からなる。
【０１１１】
一方、ユーザ特定フィールドは複数のユーザフィールドからなり、割り当てられた各リソースユニットに指定されたＳＴＡのための情報を伝達する。ユーザ特定フィールドに含まれるユーザフィールドの総個数は、ＲＡフィールド及びＣ２６フィールドに基づいて決定される。複数のユーザフィールドは、ユーザブロックフィールド単位で伝送される。ユーザブロックフィールドは、２つのユーザフィールドとＣＲＣフィールド、及びテールフィールドの結合で作られる。ユーザフィールドの総個数に応じて、最後のユーザブロックフィールドは一つまたは２つのＳＴＡのための情報を含む。例えば、計３つのユーザ（つまり、ＳＴＡ１、ＳＴＡ及びＳＴＡ３）が指定される場合、最初のユーザブロックフィールドではＳＴＡ１及びＳＴＡ２のための情報がコーディングされてＣＲＣ／テールフィールド共に伝送され、最後のユーザブロックフィールドではＳＴＡ３のための情報がコーディングされてＣＲＣ／テールフィールド共に伝送される。
【０１１２】
図１３（ｄ）−１及び図１３（ｄ）−２は、それぞれＨＥ−ＳＩＧ−Ｂのユーザフィールドのサブフィールドの構成の実施例を示す。図１３（ｄ）−１はＯＦＤＭＡ伝送のためのユーザフィールドを示し、図１３（ｄ）−２はＭＵ−ＭＩＭＯ伝送のためのユーザフィールドを示す。それぞれのユーザフィールドは、対応するリソースユニットの受信者ＡＩＤを指示する。例外的に、ＨＥ  ＭＵ  ＰＰＤＵが上り伝送に使用されれば、ユーザフィールドは送信者ＡＩＤを指示する。一つのリソースユニットに一つのユーザが割り当てられれば（つまり、ｎｏｎ−ＭＵ−ＭＩＭＯ割当）、ユーザフィールドは図１３（ｄ）−１に示したように、ＮＳＴＳ、ＴｘＢＦ、ＭＣＳ、ＤＣＭ、及びコーディングフィールドを含む。一方、一つのリソースユニットに多数のユーザが割り当てられれば（つまり、ＭＵ−ＭＩＭＯ割当）、ユーザフィールドは図１３（ｄ）-２に示したように、空間構成フィールド（ＳＣＦ）、ＭＣＳ、ＤＣＭ、及びコーディングフィールドを含む。ＭＵ−ＭＩＭＯ割当を介してＰＰＤＵを受信する各ＳＴＡは、該当リソースユニットで自らのための空間的ストリームの位置と個数を識別すべきである。このために、ＭＵ−ＭＩＭＯ伝送のためのユーザフィールドは空間構成フィールド（ＳＣＦ）を含む。
【０１１３】
図１３（ｅ）は、ＨＥ−ＳＩＧ−ＢのＳＣＦの一実施例を示す図である。ＳＣＦは、各ＳＴＡのための空間的ストリームの個数と、ＭＵ−ＭＩＭＯ割当における空間的ストリームの総個数を指示する。各ＳＴＡはＲＡフィールドを介して該当ＰＰＤＵのＯＦＤＭＡ及び／またはＭＩＭＯ割当を識別し、ユーザ特定フィールド上で呼び出された順に応じて、該当ＳＴＡがＭＵ−ＭＩＭＯ割当を介してデータを受信するのか否かを識別する。もし、ＳＴＡがｎｏｎ−ＭＵ−ＭＩＭＯ割当を介してデータを受信すれば、ユーザフィールドを図１３（ｄ）−１のフォーマットによって解析する。しかし、ＳＴＡがＭＵ−ＭＩＭＯ割当を介してデータを受信すれば、ユーザフィールドを図１３（ｄ）−２のフォーマットによって解析する。一方、ＳＩＧ−Ｂ圧縮フィールドが全体帯域幅ＭＵ−ＭＩＭＯを指示すれば、ＨＥ−ＳＩＧ−ＢにはＲＡフィールドが存在しない。この際、ユーザ特定フィールドでシグナリングされる全てのＳＴＡはＭＵ−ＭＩＭＯ割当を介してデータを受信するため、前記ＳＴＡはユーザフィールドを図１３（ｄ）−２のフォーマットによって解析する。
【０１１４】
上述した実施例のように、ＳＩＧ−Ｂ圧縮フィールドが全体帯域幅ＭＵ−ＭＩＭＯを指示すれば、ＨＥ−ＳＩＧ−Ａの特定サブフィールドはＭＵ−ＭＩＭＯユーザの個数情報を指示する。つまり、ＳＩＧ−Ｂ圧縮フィールドがＨＥ−ＳＩＧ−Ｂフィールドの圧縮モードを指示すれば、ＨＥ−ＳＩＧ−ＡのＨＥ−ＳＩＧ−Ｂシンボルの個数フィールドはＭＵ−ＭＩＭＯユーザの個数情報を指示する。本発明の追加的な実施例に夜と、ＳＩＧ−Ｂ圧縮フィールドが全体帯域幅ＭＵ−ＭＩＭＯを指示すれば、ＨＥ−ＳＩＧ−Ｂシンボルの個数フィールドが指示するＭＵ−ＭＩＭＯユーザの個数情報に基づいてＨＥ−ＳＩＧ−Ｂのユーザ特定フィールドの構成が識別される。例えば、ユーザ特定フィールドを構成するユーザフィールドのタイプは、前記ＭＵ−ＭＩＭＯユーザの個数情報に基づいてＭＵ−ＭＩＭＯ割当のためのユーザフィールドとｎｏｎ−ＭＵ−ＭＩＭＯ割当のためのユーザフィールドのうちから決定される。
【０１１５】
より詳しくは、ＳＩＧ−Ｂ圧縮フィールドが全体帯域幅ＭＵ−ＭＩＭＯを指示し、ＨＥ−ＳＩＧ−Ｂシンボルの個数フィールドが２つ以上のユーザを指示すれば、ＨＥ−ＳＩＧ−Ｂのユーザ特定フィールドはＭＵ−ＭＩＭＯ割当のためのユーザフィールドからなる。一実施例によると、ＨＥ−ＳＩＧ−Ｂシンボルの個数フィールドが２つ以上のユーザを指示すれば１以上の値に設定される。この際、該当ＰＰＤＵの受信端末はＭＵ−ＭＩＭＯ割当を介してデータを受信する。
【０１１６】
しかし、ＳＩＧ−Ｂ圧縮フィールドが全体帯域幅ＭＵ−ＭＩＭＯを指示し、ＨＥ−ＳＩＧ−Ｂシンボルの個数フィールドがシングルユーザを指示すれば、ＨＥ−ＳＩＧ−Ｂのユーザ特定フィールドはｎｏｎ−ＭＵ−ＭＩＭＯ割当のための一つのユーザフィールドからなる。一実施例によると、ＨＥ−ＳＩＧ−Ｂシンボルの個数フィールドがシングルユーザを指示すれば０に設定される。この際、該当ＰＰＤＵの受信端末はｎｏｎ−ＭＵ−ＭＩＭＯ割当を介してデータを受信する。ＳＩＧ−Ｂ圧縮フィールドが全体帯域幅ＭＵ−ＭＩＭＯを指示したが一つの受信者が指示されれば、該当伝送はＭＵ−ＭＩＭＯ伝送と解析されないためである。また、一つのユーザのみＭＵ−ＭＩＭＯ伝送に割り当てられれば、図１３（ｄ）及び図１３（ｅ）に示したＭＵ−ＭＩＭＯ割当のためのユーザフィールドのＳＣＦではシングルユーザのための空間的ストリーム情報をシグナリングすることができない。よって、全体帯域幅ＭＵ−ＭＩＭＯがシングルユーザと共に指示されれば、ＨＥ−ＳＩＧ−Ｂのユーザ特定フィールドはｎｏｎ−ＭＵ−ＭＩＭＯ割当のためのユーザフィールドからなる。このようなＭＵ−ＭＩＭＯユーザの個数情報に基づいたＨＥ−ＳＩＧ−Ｂのユーザ特定フィールドの構成は、上り及び下りＭＵ  ＰＰＤＵに全て適用される。
【０１１７】
本発明の追加的な実施例によると、ＵＬ  ＭＵ  ＰＰＤＵではＨＥ−ＳＩＧ−Ｂフィールドに共通フィールドが常に存在しない。単一ＳＴＡのＵＬ  ＭＵ  ＰＰＤＵ伝送の際には、共通フィールド内のＣ２６フィールド及びＲＡフィールドのシグナリングが不必要な可能性がある。よって、上り／下りフィールドが上り伝送を指示すれば、ＨＥ−ＳＩＧ−Ｂフィールドに共通フィールドは存在しない。一実施例によると、ＵＬ  ＭＵ  ＰＰＤＵにおいて、ＨＥ−ＳＩＧ−ＡのＳＩＧ−Ｂ圧縮フィールドの値を１に設定し、ＨＥ−ＳＩＧ−Ｂに共通フィールドが含まれないことを明示的にシグナリングする。但し、この場合、全体帯域幅ＭＵ−ＭＩＭＯ伝送は行われないが、上り伝送のＨＥ−ＳＩＧ−Ｂのシグナリングオーバーヘッドを減らすためにＨＥ−ＳＩＧ−Ｂフィールドの圧縮モードが使用される。本発明の他の実施例によると、ＵＬ  ＭＵ  ＰＰＤＵにおいてはＳＩＧ−Ｂ圧縮フィールドの値に関わらず黙示的にＨＥ−ＳＩＧ−Ｂフィールドの圧縮モードが指示され、ＨＥ−ＳＩＧ−Ｂフィールドに共通フィールドが存在しない。
【０１１８】
また、本発明の一の実施例によると、ＵＬ  ＭＵ  ＰＰＤＵにおいてＨＥ−ＳＩＧ−Ｂのユーザ特定フィールドはｎｏｎ−ＭＵ−ＭＩＭＯ割当のための一つのユーザフィールドからなる。つまり、ＵＬ  ＭＵ  ＰＰＤＵのＳＩＧ−Ｂ圧縮フィールドの値が１に設定されてＨＥ−ＳＩＧ−Ｂフィールドの圧縮モード（または、全体帯域幅ＭＵ−ＭＩＭＯ）が指示された場合でも、ＨＥ−ＳＩＧ−Ｂのユーザ特定フィールドはｎｏｎ−ＭＵ−ＭＩＭＯ割当のためのユーザフィールドからなる。このように、単一ＳＴＡが単一ＡＰに上り伝送を行えばＭＵ−ＭＩＭＯ基盤のユーザフィールドではないｎｏｎ−ＭＵ−ＭＩＭＯ基盤（または、ＯＦＤＭＡ基盤）のユーザフィールドが伝送されるため、受信端末が受信すべき時空間ストリームの個数情報が正確に伝達される。
【０１１９】
本発明の実施例による端末は、上述した方法によって構成されたＨＥ−ＳＩＧ−Ａフィールド及びＨＥ−ＳＩＧ−Ｂフィールドを含むＨＥ  ＭＵ  ＰＰＤＵを生成し、生成されたＨＥ  ＭＵ  ＰＰＤＵを伝送する。ＨＥ  ＭＵ  ＰＰＤＵを受信した端末は、受信したＰＰＤＵのＨＥ−ＳＩＧ−Ａフィールドから獲得した情報に基づいて該当ＰＰＤＵをデコーディングする。また、端末は受信されたＨＥ  ＭＵ  ＰＰＤＵのＨＥ−ＳＩＧ−Ａフィールドから獲得された情報に基づいてＨＥ−ＳＩＧ−Ｂフィールドをデコーティングする。上述した実施例のように、ＨＥ−ＳＩＧ−Ｂの構成はＨＥ−ＳＩＧ−Ａの少なくとも一つのフィールドから獲得された情報に基づいて識別される。例えば、ＨＥ−ＳＩＧ−Ｂの構成は、ＨＥ−ＳＩＧ−Ｂシンボルの個数フィールド、ＳＩＧ−Ｂ圧縮フィールド、及びこれらの組み合わせのうち少なくとも一つに基づいて識別される。
図１４及び図１５は、単一ＳＴＡとＡＰにＵＬ  ＭＵ  ＰＰＤＵを伝送する具体的な実施例を示す図である。
【０１２０】
まず、図１４はＳＴＡが狭帯域を介したＵＬ  ＭＵ  ＰＰＤＵ伝送を行う実施例を示す。ここで、狭帯域は２０ＭＨｚ帯域幅未満のリソースユニットである。図１４（ａ）に示したように、ＳＴＡは狭帯域の特定リソースユニットに伝送パワーを集中するためデータの伝送距離を増加させる。図１４（ｂ）乃至図１４（ｄ）は、このような狭帯域伝送をシグナリングする多様な実施例を示す。
【０１２１】
まず、狭帯域伝送は、図１４（ｂ）に示したようにＨＥ−ＳＩＧ−Ａの少なくとも一つのサブフィールドを介してシグナリングされる。上り伝送にＨＥ  ＭＵ  ＰＰＤＵが使用されれば、ＨＥ−ＳＩＧ−Ａの帯域幅フィールドは２０ＭＨｚ、４０ＭＨｚ、８０ＭＨｚ、１６０ＭＨｚ（８０＋８０ＭＨｚを含む）、及び予め設定された狭帯域幅のうちいずれか一つを指示する。つまり、３ビットの帯域幅フィールドにおいて、０〜３の値は２０ＭＨｚ、４０ＭＨｚ、８０ＭＨｚ、１６０ＭＨｚ（８０＋８０ＭＨｚを含む）をそれぞれ指示し、４〜７の値のうちいずれか一つは予め設定された狭帯域幅のうち一つを指示する。一実施例によると、予め設定された狭帯域幅は、左−１０６−トーン、及び右−１０６−トーンを含む。この際、２０ＭＨｚ主チャネルを構成する２４２−トーンのうち、左−１０６−トーンは低い周波数の１０６−トーンリソースユニットを指し、右−１０６−トーンは高い周波数の１０６−トーンリソースユニットを指す。但し、本発明はこれに限らず、予め設定された狭帯域幅は２６−トーンリソースユニット、５２−トーンリソースユニット、１０６−トーンリソースユニットのうちいずれか一つ以上、またはこれらの組み合わせを含んでもよい。
【０１２２】
次に、狭帯域伝送は、図１４（ｃ）に示したように、ＨＥ−ＳＩＧ−Ｂユーザフィールドに挿入されるヌルＳＴＡ  ＩＤを介してシグナリングされる。より詳しくは、ＨＥ−ＳＩＧ−ＡのＲＡフィールドは特定のチャネルにおけるリソースユニット分割形態に関する情報を指示する。例えば、２０ＭＨｚの帯域幅がＯＦＤＭＡに基づいて２つの１０６−トーンリソースユニットに分割され、中央の２６−トーンリソースユニットは使用されなければ、ＲＡフィールドは図１４（ｃ）に示したように「０１１０ｚｚｚｚ」をシグナリングする。この際、分割された２つの１０６−トーンリソースユニットのうち上りデータ伝送に使用されるリソースユニットに対応するユーザフィールドに受信者または送信者のＡＩＤが挿入される。逆に、データ伝送が行われない残りのリソースユニットに対応するユーザフィールドにはヌルＳＴＡ  ＩＤが挿入される。例えば、２つの１０６−トーンリソースユニットのうち２番目のＲＵを介してのみデータが伝送されれば、最初のユーザフィールドにはヌルＳＴＡ  ＩＤが挿入される。
【０１２３】
本発明の他の実施例によると、図１４（ｄ）に示したように、狭帯域伝送のためにＨＥ−ＳＩＧ−ＢのＲＡフィールドに上りリソースユニット割当のインデックス値が新しく定義される。より詳しくは、ＨＥ−ＳＩＧ−ＢのＲＡフィールドは、上り伝送が行われる特定１０６−トーンＲＵをインデクシングする。この場合、ＲＡフィールドで指示するリソースユニットに対応する一つのユーザフィールドのみ運ばれるため、シグナリングオーバヘッドが大きく減るようになる。一実施例によると、上りリソースユニット割当のインデックス値は、ＤＬ−ＭＵ伝送のためのＲＡフィールド構成の未割当（つまり、ＴＢＤ）のインデックスのうちから使用される。他の実施例によると、ＲＡフィールド内で上りリソースユニット割当のインデックス値が新しく定義される。
【０１２４】
図１５は、ＳＴＡが２０ＭＨｚ以上の帯域幅を介したＵＬ  ＭＵ  ＰＰＤＵ伝送を行う実施例を示す。図１５（ａ）に示したように、ＨＥ  ＭＵ  ＰＰＤＵを利用した上り伝送は、狭帯域だけでなく２０ＭＨｚ、４０ＭＨｚ、８０ＭＨｚ、１６０ＭＨｚ（８０＋８０ＭＨｚを含む）の全体帯域幅を介しても行われる。この際、ＨＥ−ＳＩＧ−Ａの帯域幅フィールドはＰＰＤＵの総帯域幅を指示する。また、ＳＩＧ−Ｂ圧縮フィールドは図１５（ｂ）に示したように常に１に設定され、ＨＥ−ＳＩＧ−Ｂフィールドから共通フィールドが省略される。
【０１２５】
上述した実施例のように、上り／下りフィールドが下り伝送を指示し、ＳＩＧ−Ｂ圧縮フィールドがＨＥ−ＳＩＧ−Ｂフィールドの圧縮モードを指示すれば、ＨＥ−ＳＩＧ−ＡのＨＥ−ＳＩＧ−Ｂシンボルの個数フィールドはＭＵ−ＭＩＭＯユーザの個数情報を指示する。この際、ＨＥ−ＳＩＧ−Ｂフィールドのユーザ特定フィールドはＭＵ−ＭＩＭＯ割当のためのユーザフィールドからなる。しかし、図１５の実施例のように、上り／下りフィールドが上がり伝送を指示し、ＳＩＧ−Ｂ圧縮フィールドがＨＥ−ＳＩＧ−Ｂフィールドの圧縮モードを指示すれば、ＨＥ−ＳＩＧ−ＡのＨＥ−ＳＩＧ−Ｂシンボルの個数フィールドは、基本的な定義のようにＨＥ−ＳＩＧ−ＢフィールドにおけるＯＦＤＭシンボルの個数情報を指示する。この際、ＨＥ−ＳＩＧ−Ｂフィールドの特定フィールドは、ｎｏｎ−ＭＵ−ＭＩＭＯ割当のためのユーザフィールドからなる。
【０１２６】
図１６は、本発明の実施例によるＨＥ−ＳＩＧ−Ｂのエンコーディング構造及び伝送方法を示す図である。図１６（ａ）はＨＥ−ＳＩＧ−Ｂのエンコーディング構造を示し、図１６（ｂ）は４０ＭＨｚ帯域幅以上におけるＨＥ−ＳＩＧ−Ｂの伝送方法を示す。
【０１２７】
図１６（ａ）を参照すると、ＨＥ−ＳＩＧ−Ｂは共通フィールドとユーザ特定フィールドで構成される。共通フィールドとユーザ特定フィールドの細部的な構成は、図１３の実施例で説明したようである。ユーザ特定フィールドの各ユーザフィールドは、共通フィールドのＲＡフィールドが指示するリソースユニットの配列から割り当てられたユーザ順に並べられる。
【０１２８】
ユーザ特定フィールドは複数のユーザフィールドからなり、複数のユーザフィールドはユーザブロックフィールド単位で伝送される。上述したように、ユーザブロックフィールドは、２つのユーザフィールドとＣＲＣフィールド、及びテールフィールドの組み合わせで作られる。ユーザフィールドの総個数が奇数であれば、最後のユーザブロックフィールドは一つのユーザフィールドを含む。ＨＥ−ＳＩＧ−Ｂの最後には、ＯＦＤＭシンボルの境界に沿ってパッディングが追加される。
【０１２９】
図１６（ｂ）を参照すると、ＨＥ−ＳＩＧ−Ｂは各２０ＭＨｚの帯域で別途にエンコーディングされる。この際、ＨＥ−ＳＩＧ−Ｂは２０ＭＨｚ単位で最大２つのコンテンツ、つまり、ＨＥ−ＳＩＧ−Ｂコンテンツチャネル１及びＨＥ−ＳＩＧ−Ｂコンテンツチャネル２からなる。図１６（ｂ）において、それぞれの箱は２０ＭＨｚ帯域を示し、箱内の「１」及び「２」はそれぞれＨＥ−ＳＩＧ−Ｂコンテンツチャネル１とＨＥ−ＳＩＧ−Ｂコンテンツチャネル２を示す。総帯域において、それぞれのＨＥ−ＳＩＧ−Ｂコンテンツチャネルは物理的周波数帯域の順に応じて配列される。つまり、最も低い周波数帯域ではＨＥ−ＳＩＧ−Ｂコンテンツチャネル１が伝送され、その次に高い周波数帯域ではＨＥ−ＳＩＧ−Ｂコンテンツチャネル２が伝送される。このようなコンテンツチャネルの構成は、その次に高い周波数帯域においてコンテンツの複製を介して繰り返される。例えば、全体８０ＭＨｚ帯域を構成する周波数昇順の第１チャネル乃至第４チャネルに対し、第１チャネル及び第３チャネルではＨＥ−ＳＩＧ−Ｂコンテンツチャネル１が伝送され、第２チャネル及び第４チャネルではＨＥ−ＳＩＧ−Ｂコンテンツチャネル２が伝送される。同じく、全体１６０ＭＨｚ帯域を構成する周波数昇順の第１チャネル乃至第８チャネルに対し、第１チャネル、第３チャネル、第５チャネル、及び第７チャネルではＨＥ−ＳＩＧ−Ｂコンテンツチャネル１が伝送され、第２チャネル、第４チャネル、第６チャネル、及び第８チャネルではＨＥ−ＳＩＧ−Ｂコンテンツチャネル２が伝送される。端末は少なくとも一つのチャネルを介してＨＥ−ＳＩＧ−Ｂコンテンツチャネル１をデコーディングし、他の少なくとも一つのチャネルを介してＨＥ−ＳＩＧ−Ｂコンテンツチャネル２をデコーディングすることができれば、総帯域幅のＭＵ  ＰＰＤＵの構成に関する情報を獲得することができる。一方、総帯域幅が２０ＭＨｚであれば、一つのＳＩＧ−Ｂコンテンツチャネルのみ伝送される。
【０１３０】
不連続チャネル割当
以下、図１７乃至図２１を参照して、本発明の実施例による不連続チャネルの割当方法及びそのシグナリング方法を説明する。本発明の実施例において、不連続チャネル割当とは伝送されるパケット（つまり、ＰＰＤＵ）が占有する帯域が少なくとも一つの不連続チャネル（または、不連続リソースユニット）を含むチャネル割当を意味する。但し、全体帯域幅８０＋８０ＭＨｚのチャネルは、全体帯域幅１６０ＭＨｚのチャネルと同じく連続チャネルとみなされる。よって、本発明の実施例において、不連続チャネル（または、不連続ＰＰＤＵ）は全体帯域幅８０＋８０ＭＨｚチャネルを除いた不連続チャネルを指す。
【０１３１】
以下の実施例及び図面において、Ｐ２０チャネルは２０ＭＨｚ主チャネルを、Ｓ２０チャネルは２０ＭＨｚ副チャネルを、Ｓ４０チャネルは４０ＭＨｚ副チャネルを、Ｓ８０チャネルは８０ＭＨｚ副チャネルをそれぞれ指す。また、Ｓ４０ＡはＳ４０チャネルを構成する最初の２０ＭＨｚチャネルを指し、Ｓ４０ＢはＳ４０チャネルを構成する２番目の２０ＭＨｚチャネルを指す。同じく、Ｓ８０Ａチャネル、Ｓ８０Ｂチャネル、Ｓ８０Ｃチャネル、及びＳ８０Ｄチャネルは、Ｓ８０チャネルを構成する最初の２０ＭＨｚチャネル、２番目の２０ＭＨｚチャネル、３番目の２０ＭＨｚチャネル、及び４番目の２０ＭＨｚチャネルをそれぞれ指す。
【０１３２】
本発明の実施例において、送信者（例えば、ＡＰ）は各図面を介して説明される実施例またはこれらの組み合わせを介して不連続チャネル割当情報をシグナリングする。送信者は、広帯域パケット伝送のためのマルチチャネルのＣＣＡを行う。この際、広帯域は総帯域幅４０ＭＨｚ以上の帯域を意味するが、本発明はこれに限らない。送信者は、マルチチャネルのＣＣＡ遂行結果に基づいて遊休状態の少なくとも一つのチャネルにパケットを伝送する。この際、パケットが不連続チャネルに伝送されれば、送信者は該当パケットのノン−レガシープリアンブルを介して不連続チャネル割当情報をシグナリングする。このように、送信者は不連続チャネル割当情報がシグナリングされた無線パケットを伝送する。受信者（例えば、ＳＴＡ）は無線パケットを受信し、受信されたパケットから不連続チャネル割当情報を獲得する。受信者は受信されたパケットを獲得された不連続チャネル割当情報に基づいてデコーディングする。この際、受信されるパケットはＨＥ  ＭＵ  ＰＰＤＵであるが、本発明はこれに限らない。
【０１３３】
図１７は、本発明の一の実施例による不連続チャネル割当方法を示す図である。図１７の実施例によると、ＨＥ−ＳＩＧ−Ｂコンテンツチャネルのうち少なくとも一つが伝送される位置は可変的である。この際、受信者はＨＥ−ＳＩＧ−Ｂコンテンツチャネルを受信するためのデコーティングチャネルを可変的に設定すべきである。図１７の実施例では、Ｐ２０チャネルからＨＥ−ＳＩＧ−Ｂコンテンツチャネル１が伝送され、ＨＥ−ＳＩＧ−Ｂコンテンツチャネル２が伝送されるチャネルが可変されると仮定する。しかし、Ｐ４０チャネル内でのＰ２０チャネルの物理的周波数の順によっては、Ｐ２０チャネルからＨＥ−ＳＩＧ−Ｂコンテンツチャネル２が伝送されてもよい。この際、チャネル構成によってＨＥ−ＳＩＧ−Ｂコンテンツチャネル１が伝送されるチャネルが可変されてもよい。本発明の実施例による不連続チャネル割当情報は、図１７に並べられたチャネル構成のうち少なくとも一部の構成を支援する。
【０１３４】
図１７（ａ）は、Ｐ８０（Ｐｒｉｍａｒｙ  ８０ＭＨｚ）帯域のうちＰ２０チャネルのみ割り当てられるチャネル構成を示す。この際、ＨＥ−ＳＩＧ−Ｂコンテンツチャネル２はＰ８０帯域で伝送されない。図１７（ｂ）は、Ｐ８０帯域のうちＰ４０チャネルが基本的に割り当てられるチャネル構成を示す。この際、ＨＥ−ＳＩＧ−Ｂコンテンツチャネル１及びＨＥ−ＳＩＧ−Ｂコンテンツチャネル２は、共に少なくともＰ４０チャネルを介して伝送される。実施例によっては、Ｓ４０チャネルの２つの２０ＭＨｚチャネルのうちいずれか一つ、つまり、Ｓ４０ＡチャネルまたはＳ４０Ｂチャネルが割り当てられた不連続チャネルが使用されてもよい。Ｓ４０Ａチャネル及びＳ４０Ｂチャネルが全て割り当てられると、８０ＭＨｚまたは１６０ＭＨｚ帯域幅の連続チャネルが構成される。
【０１３５】
図１７（ｃ）は、Ｐ８０帯域のうちＰ２０チャネルとＳ４０チャネルのみ割り当てられるチャネル構成を示す。この際、ＨＥ−ＳＩＧ−Ｂコンテンツチャネル１はＰ２０チャネル及びＳ４０Ａチャネルを介して伝送され、ＨＥ−ＳＩＧ−Ｂコンテンツチャネル２はＳ４０Ｂチャネルを介して伝送される。図１７（ｃ）の実施例の場合、ＨＥ−ＳＩＧ−Ｂコンテンツチャネル１及びＨＥ−ＳＩＧ−Ｂコンテンツチャネル２は本発明の実施例によるＨＥ−ＳＩＧ−Ｂコンテンツチャネルの伝送規則に従って伝送される。
【０１３６】
一方、ＨＥ−ＳＩＧ−Ａの帯域幅フィールドのビット数制限のため、帯域幅フィールドは前記チャネル構成のうち一部の構成を指示する。帯域幅フィールドが３ビットからなる場合、帯域幅フィールドは４種類の追加的な不連続チャネル割当情報をインデクシングする。本発明の実施例によると、帯域幅フィールドはＰＰＤＵが伝送される総帯域幅情報、及び前記総帯域幅内でパンクチャリングされる一部のチャネル情報を指示する。この際、総帯域幅は８０ＭＨｚ帯域幅と１６０ＭＨｚ（または、８０＋８０ＭＨｚ）帯域幅のうちいずれか一つである。本発明の一実施例によると、帯域幅フィールドは図１７（ｃ）に示したＳ２０チャネルのパンクチャリング、図１７（ｂ）に示したＳ４０チャネルの２つの２０ＭＨｚチャネルのうち少なくとも一つのパンクチャリングをそれぞれインデクシングする。
【０１３７】
本発明の実施例によると、ＨＥ−ＳＩＧ−Ａの帯域幅フィールドが指示するチャネル構成において、追加的なパンクチャリング情報はＨＥ−ＳＩＧ−ＢのＲＡフィールドを介して指示される。例えば、帯域幅フィールドが８０ＭＨｚの総帯域幅でＳ４０チャネルの２つの２０ＭＨｚチャネルのうちいずれか一つのパンクチャリングを指示すれば（図１７（ｂ）の３番目及び５番目のチャネル構成）、リソースユニット割当フィールドはＳ４０チャネルのうちどの２０ＭＨｚチャネルがパンクチャリングされるのかを指示する。また、帯域幅フィールドが１６０ＭＨｚまたは８０＋８０ＭＨｚの総帯域幅においてＳ４０チャネルの２つの２０ＭＨｚチャネルのうち少なくとも一つのパンクチャリングを指示すれば（図１７（ｂ）の２番目、４番目及び６番目のチャネル構成）、リソースユニット割当フィールドはＳ４０チャネルのうちどの２０ＭＨｚチャネルがパンクチャリングされるのかを指示する。加えて、帯域幅フィールドが１６０ＭＨｚまたは８０＋８０ＭＨｚの総帯域幅でＳ４０チャネルの２つの２０ＭＨｚチャネルのうち少なくとも一つのパンクチャリングを指示すれば（図１７（ｂ）の２番目、４番目及び６番目のチャネル構成）、リソースユニット割当フィールドはＳ８０チャネルにおける追加的なパンクチャリングを指示する。また、帯域幅フィールドが１６０ＭＨｚまたは８０＋８０ＭＨｚの総帯域幅でＳ２０チャネルのパンクチャリングを指示すれば（図１７（ｃ）の２番目のチャネル構成）、リソースユニット割当フィールドはＳ８０チャネルにおける追加的なパンクチャリングを指示する。
【０１３８】
このように、パンクチャリングが指示されたチャネルはユーザに割り当てられない。不連続ＰＰＤＵを受信した端末は、ＰＰＤＵが伝送される総帯域幅情報、及び前記総帯域幅内でパンクチャリングされるチャネル情報を該当ＰＰＤＵのＨＥ−ＳＩＧ−Ａの帯域幅フィールドを介して獲得する。また、端末は追加的なチャネルパンクチャリング情報を該当ＰＰＤＵのＨＥ−ＳＩＧ−ＢのＲＡフィールドを介して獲得する。端末は、このように獲得された不連続チャネル割当情報に基づいてＰＰＤＵをデコーディングする。
【０１３９】
図１８は、本発明の一実施例による広帯域接近方法を示す図である。以前のＰＰＤＵの伝送が終了された後、伝送するデータがある端末はＰ２０チャネルでバックオフ手順を行う。前記バックオフ手順は、Ｐ２０チャネルがＡＩＦＳ時間の間に遊休状態であれば開始される。端末は、バックオフ手順のために競争ウィンドウＣＷ範囲内でバックオフカウンタを獲得する。端末はＣＣＡを行い、チャネルが遊休状態であればバックオフカウンタを１つずつ減らしていく。もしチャネルが占有状態であれば、端末はバックオフ手順を中断し、チャネルが更に遊休状態である際、ＡＩＦＳ時間後にバックオフ手順を再開する。前記バックオフ手順を介してバックオフカウンタが満了されれば、端末はデータを伝送する。この際、端末はバックオフカウンタが満了される前に、ＰＩＦＳ時間の間にデータを伝送するための副チャネルに対するＣＣＡを行う。
【０１４０】
図１８の実施例は、ＣＣＡが行われた１６０ＭＨｚ帯域のうち、Ｓ４０Ａチャネル及びＳ８０Ｂチャネルが占有状態である状況を示す。ＣＣＡが行われた副チャネルのうち少なくとも一部が占有状態であれば、端末のＰＰＤＵ伝送帯域は物理階層ＣＣＡ表示情報に基づいて決定される。物理階層ＣＣＡ表示情報は、無線ＬＡＮ標準で定義されたＰＨＹ−ＣＣＡ．ｉｎｄｉｃａｔｉｏｎプリミティブ（ｐｒｉｍｉｔｉｖｅ）によって表現される。
【０１４１】
より詳しくは、ＰＨＹ−ＣＣＡ．ｉｎｄｉｃａｔｉｏｎはＰＨＹがローカルＭＡＣ個体にチャネル（または、メディアム）の現在の状態を表示するためのプリミティブであり、状態指示子とチャネル指示子を含む。状態指示子は、占有状態または遊休状態を指示する。もし、物理階層によるチャネル評価でチャネルが使用できないと判断されれば、状態指示子の値は占有状態と設定される。そうでなければ、状態指示子の値は遊休状態である。チャネル指示子は、占有状態のチャネル（ら）を含むチャネルセットを指示する。もし特定チャネルセットに対する状態指示子の値が遊休状態であれば、それに対応するチャネル指示子はＰＨＹ−ＣＣＡ．ｉｎｄｉｃａｔｉｏｎプリミティブに存在しなくなる。
【０１４２】
図１８（ａ）は、本発明の第１実施例による広帯域接近方法を示す図である。本発明の第１実施例によると、物理階層ＣＣＡ表示情報は、レガシー無線ＬＡＮシステムで定義されたＰＨＹ−ＣＣＡ．ｉｎｄｉｃａｔｉｏｎプリミティブによって表現される。つまり、ＰＨＹ−ＣＣＡ．ｉｎｄｉｃａｔｉｏｎプリミティブのチャネル指示子は、ｐｒｉｍａｒｙ、ｓｅｃｏｎｄａｒｙ、ｓｅｃｏｎｄａｒｙ４０、及びｓｅｃｏｎｄａｒｙ８０の４つの値のうちいずれか一つのみを指示する。よって、ＰＨＹ−ＣＣＡ．ｉｎｄｉｃａｔｉｏｎプリミティブのチャネル指示子は、Ｐ２０チャネル、Ｓ２０チャネル、Ｓ４０チャネル、及びＳ８０チャネルのチャネルセット順の上で、占有状態のチャネル（ら）を含む最初のチャネルセットを指示する。図１８（ａ）の実施例によると、ＰＨＹ−ＣＣＡ．ｉｎｄｉｃａｔｉｏｎプリミティブのチャネル指示子は、占有状態のＳ４０Ａチャネルを含むＳ４０チャネルを指示する。つまり、物理階層はＰＨＹ−ＣＣＡ．ｉｎｄｉｃａｔｉｏｎ（ＢＵＳＹ、｛ｓｅｃｏｎｄａｒｙ４０｝）をＭＡＣ階層と報告する。端末は遊休状態と判別されたＰ２０チャネル及びＳ２０チャネルを組み合わせた４０ＭＨｚ帯域（つまり、Ｐ４０チャネル）を介してＰＰＤＵを伝送する。
【０１４３】
しかし、図１７で説明したような不連続チャネル割当を介したＭＵ  ＰＰＤＵ伝送のためには、より細密な物理階層ＣＣＡ表示情報の伝達が必要である。そのために、図１８（ｂ）は、本発明の第２実施例による広帯域接近方法を示す。本発明の第２実施例によると、物理階層ＣＣＡ表示情報は、新しく定義されたＰＨＹ−ＣＣＡ．ｉｎｄｉｃａｔｉｏｎプリミティブによって表現される。本発明の第２実施例によると、ＣＣＡ結果が報告されるチャネルセットの単位は各２０ＭＨｚチャネルに細分化される。つまり、ＰＨＹ−ＣＣＡ．ｉｎｄｉｃａｔｉｏｎプリミティブのチャネル指示子は、ｐｒｉｍａｒｙ、ｓｅｃｏｎｄａｒｙ、ｓｅｃｏｎｄａｒｙ４０Ａ、ｓｅｃｏｎｄａｒｙ４０Ｂ、ｓｅｃｏｎｄａｒｙ８０Ａ、ｓｅｃｏｎｄａｒｙ８０Ｂ、ｓｅｃｏｎｄａｒｙ８０Ｃ、ｓｅｃｏｎｄａｒｙ８０Ｄ、またはこれと類似した形態の２０ＭＨｚチャネルのうち一つ以上を指示する。
【０１４４】
本発明の実施例によると、ＰＨＹ−ＣＣＡ．ｉｎｄｉｃａｔｉｏｎプリミティブのチャネル指示子は、１６０ＭＨｚ帯域を構成する８つの２０ＭＨｚチャネルのうち、占有状態と判別された２０ＭＨｚチャネル（ら）を全て報告する。図１８（ｂ）の実施例によると、ＰＨＹ−ＣＣＡ．ｉｎｄｉｃａｔｉｏｎプリミティブのチャネル指示子は、占有状態のＳ４０Ａチャネル及びＳ８０Ｂチャネルを指示する。つまり、物理階層はＰＨＹ−ＣＣＡ．ｉｎｄｉｃａｔｉｏｎ（ＢＵＳＹ、｛ｓｅｃｏｎｄａｒｙ４０Ａ、ｓｅｃｏｎｄａｒｙ８０Ｂ｝）をＭＡＣ階層と報告する。端末は、占有状態ではないチャネルを利用してＰＰＤＵを伝送する。図１８（ｂ）を参照すると、端末は占有状態と判別されたチャネルであるＳ４０Ａチャネル及びＳ８０Ｂチャネルを除いた残りのチャネル（つまり、Ｐ２０、Ｓ２０、Ｓ４０Ｂ、Ｓ８０Ａ、Ｓ８０Ｃ、及びＳ８０Ｄ）を介して不連続ＰＰＤＵを伝送する。
【０１４５】
本発明の他の実施例によると、２０ＭＨｚチャネル別ＣＣＡ結果値はビットマップ表現で報告される。つまり、ＰＨＹ−ＣＣＡ．ｉｎｄｉｃａｔｉｏｎプリミティブのチャネル指示子は、各２０ＭＨｚチャネル別の占有／遊休状態をビットマップ形態で指示する。例えば、ＰＨＹ−ＣＣＡ．ｉｎｄｉｃａｔｉｏｎプリミティブのチャネル指示子は８ビットの長さを有するビットマップからなり、各ビットは対応する２０ＭＨｚチャネルが占有状態であれば１に設定され、対応する２０ＭＨｚチャネルが遊休状態であれば０に設定される。この際、前記ビットマップの最初のビットから８番目のビットは、１６０ＭＨｚ（８０＋８０ＭＨｚ）帯域幅内で最も低い周波数から最も高い周波数の順に８つの２０ＭＨｚチャネルそれぞれの占有／遊休状態を指示する。
【０１４６】
本発明の追加的な実施例によると、物理階層はＰ２０のチャネルが遊休状態である場合にのみ２０ＭＨｚチャネル別ＣＣＡ結果値を報告する。つまり、ＰＨＹ−ＣＣＡ．ｉｎｄｉｃａｔｉｏｎプリミティブのチャネル指示子は、Ｐ２０チャネルが遊休状態である場合のみ、１６０ＭＨｚ帯域を構成する８つの２０ＭＨｚチャネルのうちから占有状態と判別された２０ＭＨｚ副チャネル（ら）を全て指示する。また、２０ＭＨｚチャネル別ＣＣＡ結果値がビットマップ表現で報告されれば、前記ビットマップにおいてＰ２０チャネルに対応するビットは０に設定される。もしＰ２０チャネルが占有状態であれば、ＰＨＹ−ＣＣＡ．ｉｎｄｉｃａｔｉｏｎプリミティブのチャネル指示子は２０ＭＨｚ単位の副チャネル情報を指示しない。つまり、ＰＨＹ−ＣＣＡ．ｉｎｄｉｃａｔｉｏｎプリミティブのチャネル指示子は、レガシー無線ＬＡＮシステムでのように占有状態のチャネル（ら）を含む最初のチャネルセットであるｐｒｉｍａｒｙのみを指示する。
【０１４７】
図１９は、不連続ＰＰＤＵを伝送するためのＢＱＲＰ及びＢＱＲの交換並びにシグナリング方法の一実施例を示す図である。図１９を参照すると、ＤＬ  ＭＵ  ＰＰＤＵを伝送しようとするＡＰは物理階層でＣＣＡを行い、ＣＣＡ結果に基づいて遊休状態と判別されたチャネルを利用してＤＬ  ＭＵ  ＰＰＤＵを伝送する。一実施例によると、ＤＬ  ＭＵ  ＰＰＤＵを伝送する前に一つ以上のＳＴＡにＭＵ−ＲＴＳフレームが伝送され、ＭＵ−ＲＴＳフレームを受信したＳＴＡからｓＣＴＳフレームが伝送される。しかし、ＭＵ−ＲＴＳはｎｏｎ−ＨＴ、ｎｏｎ−ＨＴ  ｄｕｐｌｉｃａｔｅ、またはＨＥ  ＳＵ  ＰＰＤＵのような連続したチャネル割当基盤のＰＰＤＵの形態にのみ伝送される。よって、図１９の実施例のように、Ｓ４０Ａチャネル及びＳ８０Ｂチャネルが占有状態であれば、ＭＵ−ＲＴＳはＰ２０チャネル及びＳ２０チャネルを含む４０ＭＨｚ帯域（つまり、Ｐ４０チャネル）を介してのみ伝送される。ＡＰはＭＵ−ＲＴＳフレームに対する応答で伝送されたｓＣＴＳフレームをＳＴＡから受信するが、ＭＵ−ＲＴＳフレームとｓＣＴＳフレームの交換だけでは各ＳＴＡの可用チャネルを認知することはできない。
【０１４８】
よって、本発明の一実施例によると、ＭＵ  ＰＰＤＵ伝送のための効率的なリソース割当を助けるために、ＡＰがＢＱＲＰ（Ｂａｎｄｗｉｄｔｈ  Ｑｕｅｒｙ  Ｒｅｐｏｒｔ  Ｐｏｌｌ）を伝送し、ＳＴＡはそれに対する応答としてＢＱＲ（Ｂａｎｄｗｉｄｔｈ  Ｑｕｅｒｙ  Ｒｅｐｏｒｔ）を伝送する。ＢＱＲは、該当ＳＴＡの可用チャネル情報を示す可用チャネルビットマップフィールドを含む。一実施例によると、ＢＱＲはＭＡＣヘッダのコントロールフィールドを介して運ばれる。ＳＴＡはＡＰに伝送されるフレームのＢＱＲコントロールフィールドを介して黙示的にＢＱＲを運ぶか、ＡＰのＢＱＲＰトリガーフレームに対する応答として伝送されるフレームを介して明示的にＢＱＲを運ぶ。本発明の実施例によると、ＢＱＲＰトリガーフレームに対する応答として伝送されるＢＱＲは要請された（ｓｏｌｉｃｉｔｅｄ）ＢＱＲと称され、ＢＱＲＰトリガーフレームの受信に関わらず伝送されるＢＱＲは非要請（ｕｎｓｏｌｉｃｉｔｅｄ）ＢＱＲと称される。
【０１４９】
一実施例によると、ＡＰは不連続チャネル割当基盤の伝送が可能なＭＵ  ＰＰＤＵフォーマットを使用してＢＱＲＰフレームを伝送する。ＡＰは、各ＳＴＡから受信されたＢＱＲに基づいて各チャネルが該当ＳＴＡに可用であるのか否かを把握する。このようなＢＱＲＰ／ＢＱＲ伝送シーケンスを介し、ＡＰはＳＴＡの可用チャネル情報を確認して、不連続チャネル割当基盤のＤＬ  ＭＵ  ＰＰＤＵ伝送を行う。図１９の実施例を参照すると、ＡＰは遊休状態と判別されたチャネルのうちＰ４０チャネルを介してＳＴＡ１に、Ｓ４０Ｂチャネルを介してＳＴＡ２に、Ｓ８０Ａチャネルを介してＳＴＡ３に、Ｓ８０Ｃチャネルを介してＳＴＡ４に、そしてＳ８０Ｄチャネルを介してＳＴＡ５にＢＱＲＰをそれぞれ伝送する。ＳＴＡ１、ＳＴＡ２、ＳＴＡ３、ＳＴＡ４、及びＳＴＡ５に伝送されるＢＱＲＰは不連続ＭＵ  ＰＰＤＵを介して運ばれる。ＡＰは、ＢＱＲＰに対する応答としてＳＴＡ１、ＳＴＡ３、及びＳＴＡ５からＢＱＲを受信する。よって、ＡＰは、Ｐ４０チャネルがＳＴＡ１に、Ｓ８０ＡチャネルがＳＴＡ３に、Ｓ８０ＤチャネルがＳＴＡ５にそれぞれ可用であることを識別する。しかし、ＡＰは、ＳＴＡ２及びＳＴＡ４からはＢＱＲＰに対する応答としてＢＱＲを受信することができない。よって、ＡＰはＳ４０ＢチャネルがＳＴＡ２に、Ｓ８０ＣチャネルがＳＴＡ４にそれぞれ可用ではないことを識別する。ＡＰはこのように収集された各ＳＴＡの可用チャネル情報に基づき、ＤＬ  ＭＵ  ＰＰＤＵ伝送を行う。
【０１５０】
図２０は、不連続ＰＰＤＵを伝送するためのＢＱＲの伝送及びシグナリング方法の他の実施例を示す図である。上述したように、ＳＴＡはＡＰに伝送されるフレームのＢＱＲコントロールフィールドを介して黙示的にＢＱＲを運ぶ。ＡＰはＳＴＡから受信される非要請ＢＱＲを介して各ＳＴＡの可用チャネル情報を随時に確認し、不連続チャネル割当基盤のＤＬ  ＭＵ  ＰＰＤＵ伝送を行う。
【０１５１】
まず、図２０（ａ）を参照すると、ＢＱＲはＵＬ  ＳＵ  ＰＰＤＵを介して伝送される。ＵＬ  ＳＵ  ＰＰＤＵを伝送しようとするＳＴＡは物理階層でＣＣＡを行い、ＣＣＡ結果に基づいて遊休状態と判別されたチャネルを利用してＵＬ  ＳＵ  ＰＰＤＵを伝送する。しかし、ＨＥ  ＳＵ  ＰＰＤＵは連続したチャネル割当基盤でのみ伝送される。よって、図２０（ａ）の実施例のようにＳ４０Ａチャネル及びＳ８０Ｂチャネルが占有状態であれば、ＵＬ  ＳＵ  ＰＰＤＵはＰ２０チャネル及びＳ２０チャネルを含む４０ＭＨｚ帯域を介して伝送される。この際、ＵＬ  ＳＵ  ＰＰＤＵを介して伝送されるフレームのＢＱＲコントロールフィールドを介してＢＱＲが運ばれる。前記ＢＱＲは、該当ＳＴＡが感知したＣＣＡに基づいた可用チャネル情報を含む。
【０１５２】
次に、図２０（ｂ）を参照すると、ＢＱＲはＨＥ  Ｔｒｉｇｇｅｒ−ｂａｓｅｄ（ＴＢ）  ＰＰＤＵを介して伝送される。ＨＥ  ＴＢ  ＰＰＤＵを伝送しようとするＳＴＡは物理階層でＣＣＡを行い、ＣＣＡ結果に基づいて遊休状態と判別されたチャネルを利用してＨＥ  ＴＢ  ＰＰＤＵを伝送する。この際、ＨＥ  ＴＢ  ＰＰＤＵを介して伝送されるフレームのＢＱＲコントロールフィールドを介してＢＱＲが運ばれる。前記ＢＱＲは、該当ＳＴＡが感知したＣＣＡ結果に基づいた可用チャネル情報を含む。
【０１５３】
このように、ＢＱＲが含まれたＵＬ  ＳＵ  ＰＰＤＵまたはＨＥ  ＴＢ  ＰＰＤＵを受信したＡＰは、該当ＳＴＡの可用チャネル情報を確認してＤＬ  ＰＰＤＵ伝送を行う。一方、ＢＱＲは多様な実施例によって可用チャネル情報を指示する。それに関する具体的な実施例は、図２１を参照して説明する。
【０１５４】
図２１は、本発明の一実施例によるＢＱＲの構成を示す図である。本発明の実施例によると、ＢＱＲにおいて、可用チャネル情報は可用チャネルビットマップフィールドを介して表現される。一実施例によると、ＢＱＲは帯域幅指示フィールドと可用チャネルビットマップフィールド（または、帯域幅ビットマップフィールド）を含む。但し、実施例によっては帯域幅指示フィールドはＢＱＲから省略されてもよい。
【０１５５】
帯域幅指示フィールドは、可用チャネル情報が運ばれる総帯域幅を示す。一実施例によると、帯域幅指示フィールドは２ビットからなり、２０ＭＨｚ、４０ＭＨｚ、８０ＭＨｚ、及び１６０ＭＨｚ（８０＋８０ＭＨｚを含む）のうちいずれか一つを指示する。また、可用チャネルビットマップフィールドは８ビットからなり、各２０ＭＨｚチャネル別に可用性可否（または、占有／遊休状態）を示す。ＢＱＲが総帯域幅２０ＭＨｚの可用チャネル情報を報告すれば、帯域幅指示フィールドは２０ＭＨｚ（または、Ｐ２０チャネル）を指示する。また、ＢＱＲが総帯域幅４０ＭＨｚの可用チャネル情報を報告すれば、帯域幅指示フィールドは４０ＭＨｚ（または、Ｐ４０チャネル）を指示する。この際、可用チャネルビットマップフィールドの最初のビット及び２番目のビットは４０ＭＨｚの帯域幅内で低い周波数から高い周波数の順に２つの２０ＭＨｚチャネルそれぞれの可用性可否を指示する。次に、ＢＱＲが総帯域幅８０ＭＨｚの可用チャネル情報を報告すれば、帯域幅指示フィールドは８０ＭＨｚ（または、Ｐ８０チャネル）を指示する。この際、可用チャネルビットマップフィールドの最初のビットから４番目のビットは８０ＭＨｚの帯域幅内で最も低い周波数から最も高い周波数の順に４つの２０ＭＨｚチャネルそれぞれの可用性可否を指示する。次に、ＢＱＲが総帯域幅１６０ＭＨｚ（８０＋８０ＭＨｚ）の可用チャネル情報を報告すれば、帯域幅指示フィールドは１６０ＭＨｚ（８０＋８０ＭＨｚ）（または、Ｐ１６０チャネル）を指示する。この際、可用チャネルビットマップフィールドの最初のビットから８番目のビットは、１６０ＭＨｚ（８０＋８０ＭＨｚ）帯域幅内で最も低い周波数から最も高い周波数の順に８つの２０ＭＨｚチャネルそれぞれの可用性可否を指示する。
【０１５６】
一方、ＢＱＲは帯域幅指示フィールドなしに可用チャネルビットマップフィールドのみ含んでもよい。この際、可用チャネルビットマップフィールドは８ビットからなり、各２０ＭＨｚチャネルの可用性可否（または、占有／遊休状態）を示す。ＳＴＡのＣＣＡ遂行能力に応じて、ＣＣＡが行われていない２０ＭＨｚチャネルが存在すれば、該当チャネルに対応する可用チャネルビットマップフィールドのビットの値は１（つまり、占有状態）と設定される。
【０１５７】
本発明の一実施例によると、ＢＱＲは多様な方法で可用チャネル情報を指示する。本発明の第１実施例によると、ＳＴＡはＢＱＲを含むＰＰＤＵを伝送する前に自らがＣＣＡを行うことができた帯域幅情報を帯域幅指示フィールドを介して明示的にシグナリングし、該当帯域幅内における各チャネルの可用性可否を可用チャネルビットマップで指示する。例えば、ＳＴＡが４０ＭＨｚ  ＰＰＤＵを伝送する前に該当４０ＭＨｚ帯域幅に対してのみＣＣＡを行ったなら、帯域幅指示フィールドは４０ＭＨｚを指示し、可用チャネルビットマップフィールドは２つの２０ＭＨｚチャネルのＣＣＡ結果値のみを運ぶ。しかし、ＳＴＡが４０ＭＨｚ  ＰＰＤＵを伝送する前に該当ＰＰＤＵの帯域幅より広い１６０ＭＨｚ帯域幅に対してＣＣＡを行ったなら、帯域幅指示フィールドは１６０ＭＨｚを指示し、可用チャネルビットマップフィールドは８つの２０ＭＨｚチャネルのＣＣＡ結果値を運ぶ。このような実施例の場合、ＳＴＡは自らのＣＣＡ遂行能力に基づいて自律的にＢＱＲの可用チャネルビットマップフィールドの指示帯域幅を設定する。
【０１５８】
次に、本発明の第２実施例によると、ＳＴＡはＢＱＲＰトリガーフレームが受信された全体帯域またはＢＱＲを含むＰＰＤＵが伝送される全体帯域に対するＣＣＡを行い、該当帯域幅内における各チャネルの可用性可否を可用チャネルビットマップで指示する。この場合、可用チャネル情報が伝達される帯域幅情報は送信者及び受信者に自明であるため、ＢＱＲにおいて帯域幅指示フィールドは省略されてもよい。もしＰＰＤＵが伝送される全体帯域のうち、ＳＴＡのＣＣＡ遂行能力に応じてＣＣＡが行われていない２０ＭＨｚチャネルが存在すれば、ＳＴＡは非要請ＢＱＲの伝送を行わない。他の実施例によると、ＰＰＤＵが伝送される全体帯域のうち、ＳＴＡのＣＣＡ遂行能力に応じてＣＣＡが行われていない２０ＭＨｚチャネルが存在すれば、該当チャネルに対応する可用チャネルビットマップフィールドのビット値は１（つまり、占有状態）と設定される。
【０１５９】
次に、本発明の第３実施例によると、ＳＴＡは該当ＳＴＡが結合されたＢＳＳが運営する全体帯域に対するＣＣＡを行い、該当帯域幅内における各チャネルの可用性可否を可用チャネルビットマップで指示する。もしＳＴＡのＣＣＡ遂行能力に応じて前記ＳＴＡがＣＣＡを行える帯域幅が前記ＢＳＳが運営する全体の帯域幅より小さければ、前記ＳＴＡがＣＣＡを行える帯域幅内における各チャネルの可用性可否が可用チャネルビットマップで指示される。つまり、ＳＴＡはＢＱＲＰトリガーフレームが受信された全体帯域またはＢＱＲを含むＰＰＤＵが伝送される全体帯域に関わらず、ＢＳＳが運営する全体の帯域幅と前記ＳＴＡがＣＣＡを行える帯域幅のうち小さい値に基づいて各チャネルの可用性可否を可用チャネルビットマップで指示する。この場合、可用チャネル情報が伝達される帯域幅情報は送信者及び受信者に自明であるため、ＢＱＲにおいて帯域幅指示フィールドは省略されてもよい。よって、ＡＰはＢＱＲＰまたはＢＱＲを運ぶＰＰＤＵの伝送帯域幅に関わらず、全体の帯域幅内におけるＳＴＡの可用チャネル情報に基づいてＤＬ  ＭＵ  ＰＰＤＵを伝送する。
【０１６０】
前記のように無線ＬＡＮ通信を例に挙げて本発明を説明したが、本発明はこれに限らず、セルラー通信など他の通信システムでも同じく適用される。また、本発明の方法、装置及びシステムを特定実施例に関連して説明したが、本発明の構成要素、動作の一部または全部は、汎用ハードウェアアーキテクチャを有するコンピュータシステムを使用して具現される。
【０１６１】
上述した本発明の実施例は多様な手段を介して具現される。例えば、本発明の実施例は、ハードウェア、ファームウェア（ｆｉｒｍｗａｒｅ）、ソフトフェア、またはそれらの組み合わせによって具現される。
【０１６２】
ハードウェアによる具現の場合、本発明の実施例による方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現される。
【０１６３】
ファームフェアやソフトウェアによる具現の場合、本発明の実施例による方法は、上述した機能または動作を行うモジュール、手順または関数などの形態で具現される。ソフトウェアコードはメモリに貯蔵されてプロセッサによって具現される。前記メモリはプロセッサの内部または外部に位置し、既に公知の多様な手段によってプロセッサとデータを交換する。
【０１６４】
上述した本発明の説明は例示のためのものであって、本発明が属する技術分野における通常の知識を有する者は、本発明の技術的思想や必須的特徴を変更せずも他の具体的な形態に容易に変形可能であることを理解できるはずである。よって、上述した実施例は全ての面で例示的なものであって、限定的なものではないと解釈すべきである。例えば、単一型として説明されている各構成要素は分散されて実施されてもよく、同じく分散されていると説明されている構成要素も結合された形態で実施されてもよい。
【０１６５】
本発明の範囲は上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【産業上の利用可能性】
【０１６６】
本発明の多様な実施例はＩＥＥＥ  ８０２．１１システムを中心に説明されたが、その他の多様な形態の移動通信装置、移動通信システムなどに適用される。
【図１】
2020504570.tif 000007
【図２】
2020504570.tif 000008
【図３】
2020504570.tif 000009
【図４】
2020504570.tif 000010
【図５】
2020504570.tif 000011
【図６】
2020504570.tif 000012
【図７】
2020504570.tif 000013
【図８】
2020504570.tif 000014
【図９】
2020504570.tif 000015
【図１０（ａ）】
2020504570.tif 000016
【図１０（ｂ）】
2020504570.tif 000017
【図１０（ｃ）】
2020504570.tif 000018
【図１１（ａ）】
2020504570.tif 000019
【図１１（ｂ）】
2020504570.tif 000020
【図１１（ｃ）】
2020504570.tif 000021
【図１１（ｄ）】
2020504570.tif 000022
【図１２】
2020504570.tif 000023
【図１３】
2020504570.tif 000024
【図１４（ａ）】
2020504570.tif 000025
【図１４（ｂ）】
2020504570.tif 000026
【図１４（ｃ）】
2020504570.tif 000027
【図１４（ｄ）】
2020504570.tif 000028
【図１５（ａ）】
2020504570.tif 000029
【図１５（ｂ）】
2020504570.tif 000030
【図１６（ａ）】
2020504570.tif 000031
【図１６（ｂ）】
2020504570.tif 000032
【図１７】
2020504570.tif 000033
【図１８】
2020504570.tif 000034
【図１９】
2020504570.tif 000035
【図２０】
2020504570.tif 000036
【図２１】
2020504570.tif 000037
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
無線通信端末であって、
通信部と、
前記通信部を介して送受信される信号を処理するプロセッサと、を含み、
前記プロセッサは、
前記通信部を介してＨＥ  ＭＵ  ＰＰＤＵ（ｈｉｇｈ  ｅｆｆｉｃｉｅｎｃｙ  ｍｕｌｔｉ−ｕｓｅｒ ＰＨＹ ｐｒｏｔｏｃｏｌ  ｄａｔａ  ｕｎｉｔ）を受信するが、前記ＨＥ  ＭＵ  ＰＰＤＵのプリアンブルは、ＨＥ−ＳＩＧ−Ａ（Ｈｉｇｈ  Ｅｆｆｉｃｉｅｎｃｙ  Ｓｉｇｎａｌ  Ａ  ｆｉｅｌｄ）及びＨＥ−ＳＩＧ−Ｂ（Ｈｉｇｈ  Ｅｆｆｉｃｉｅｎｃｙ  Ｓｉｇｎａｌ  Ｂ  ｆｉｅｌｄ）を含み、
前記ＨＥ−ＳＩＧ−Ａから獲得した情報に基づいて前記受信されたＨＥ  ＭＵ  ＰＰＤＵをデコーディングするが、
前記ＨＥ−ＳＩＧ−Ｂの構成は、前記ＨＥ−ＳＩＧ−Ａの少なくとも一つのサブフィールドから獲得した情報に基づいて識別される無線通信端末。
【請求項２】
ＨＥ−ＳＩＧ−ＡのＳＩＧ−Ｂ圧縮フィールドが全体帯域幅ＭＵ−ＭＩＭＯ伝送を指示して前記ＨＥ−ＳＩＧ−Ｂに共通フィールドが存在しなければ、
前記ＨＥ−ＳＩＧ−Ｂのユーザ特定フィールドの構成は、前記ＨＥ−ＳＩＧ−Ａの少なくとも一つのサブフィールドから獲得した情報に基づいて識別される請求項１に記載の無線通信端末。
【請求項３】
前記ＨＥ−ＳＩＧ−ＡのＳＩＧ−Ｂ圧縮フィールドが全体帯域幅ＭＵ−ＭＩＭＯ伝送を指示すれば、前記ＨＥ−ＳＩＧ−Ａから指示されたＭＵ−ＭＩＭＯユーザの個数情報に基づいて前記ＨＥ−ＳＩＧ−Ｂのユーザ特定フィールドの構成が識別される請求項２に記載の無線通信端末。
【請求項４】
前記ＭＵ−ＭＩＭＯユーザの個数情報が２つ以上のユーザを指示すれば、前記ＨＥ−ＳＩＧ−Ｂのユーザ特定フィールドはＭＵ−ＭＩＭＯ割当のためのユーザフィールドを含み、
前記ＭＵ−ＭＩＭＯユーザの個数情報が一つのユーザを指示すれば、前記ＨＥ−ＳＩＧ−Ｂのユーザ特定フィールドはｎｏｎ−ＭＵ−ＭＩＭＯ割当のための一つのユーザフィールドを含む請求項３に記載の無線通信端末。
【請求項５】
前記ＭＵ−ＭＩＭＯ割当のためのユーザフィールドは、ＭＵ−ＭＩＭＯ割当における空間的ストリームの総個数と前記ＭＵ−ＭＩＭＯ割当における各端末のための空間的ストリーム個数を指示する空間構成フィールドを含み、
前記ｎｏｎ−ＭＵ−ＭＩＭＯ割当のためのユーザフィールドは、ＮＳＴＳ（Ｎｕｍｂｅｒ  ｏｆ  Ｓｐａｃｅ  Ｔｉｍｅ  Ｓｔｒｅａｍｓ）フィールドを含む請求項４に記載の無線通信端末。
【請求項６】
前記ｎｏｎ−ＭＵ−ＭＩＭＯ割当のためのユーザフィールドは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）割当基盤のユーザフィールドである請求項４に記載の無線通信端末。
【請求項７】
前記ＨＥ−ＳＩＧ−ＡのＳＩＧ−Ｂ圧縮フィールドが全体帯域幅ＭＵ−ＭＩＭＯ伝送を指示すれば、前記ＭＵ−ＭＩＭＯユーザの個数情報は、前記ＨＥ−ＳＩＧ−ＡにおいてＨＥ−ＳＩＧ−Ｂシンボルの個数フィールドによって指示される請求項３に記載の無線通信端末。
【請求項８】
前記ＨＥ−ＳＩＧ−Ａは、前記ＰＰＤＵが上り伝送されるのかまたは下り伝送されるのかを指示する上り／下りフィールドを含み、
前記ＰＰＤＵのＨＥ−ＳＩＧ−Ａの少なくとも一つのサブフィールドは、前記上り／下りフィールドが指示する値に基づいて異なる情報を指示するか異なるように設定される請求項１に記載の無線通信端末。
【請求項９】
前記上り／下りフィールドが下り伝送を指示すれば、前記ＨＥ−ＳＩＧ−Ａの帯域幅フィールドの特定値は予め設定された不連続帯域を指示し、
前記上り／下りフィールドが上り伝送を指示すれば、前記ＨＥ−ＳＩＧ−Ａの帯域幅フィールドの前記特定値は予め設定された狭帯域幅を指示する請求項８に記載の無線通信端末。
【請求項１０】
前記予め設定された狭帯域幅は、左−１０６−トーン及び右−１０６−トーンのうち少なくとも一つを含む請求項９に記載の無線通信端末。
【請求項１１】
前記上り／下りフィールドが下り伝送を指示すれば、前記ＨＥ−ＳＩＧ−ＡのＳＩＧ−Ｂ圧縮フィールドは、ＨＥ−ＳＩＧ−Ｂフィールドに共通フィールドが存在しない全体帯域幅ＭＵ−ＭＩＭＯ伝送の遂行可否を指示し、
前記上り／下りフィールドが上り伝送を指示すれば、前記ＨＥ−ＳＩＧ−ＡのＳＩＧ−Ｂ圧縮フィールドは、ＨＥ−ＳＩＧ−Ｂフィールドに共通フィールドが存在しないことを常に指示する請求項８に記載の無線通信端末。
【請求項１２】
前記ＨＥ−ＳＩＧ−ＡのＳＩＧ−Ｂ圧縮フィールドがＨＥ−ＳＩＧ−Ｂフィールドの圧縮モードを指示する場合、
前記上り／下りフィールドが下り伝送を指示すれば、前記ＨＥ−ＳＩＧ−ＡのＨＥ−ＳＩＧ−Ｂシンボルの個数フィールドはＭＵ−ＭＩＭＯユーザの個数情報を指示し、
前記上り／下りフィールドが上り伝送を指示すれば、前記ＨＥ−ＳＩＧ−ＡのＨＥ−ＳＩＧ−Ｂシンボルの個数フィールドはＨＥ−ＳＩＧ−ＢフィールドにおけるＯＦＤＭシンボルの個数情報を指示する請求項８に記載の無線通信端末。
【請求項１３】
無線通信端末の無線通信方法であって、
ＨＥ  ＭＵ  ＰＰＤＵを受信するステップと、前記ＨＥ  ＭＵ  ＰＰＤＵのプリアンブルは、ＨＥ−ＳＩＧ−Ａ及びＨＥ−ＳＩＧ−Ｂを含み、
前記ＨＥ−ＳＩＧ−Ａから獲得した情報に基づいて前記受信されたＨＥ  ＭＵ  ＰＰＤＵをデコーディングするステップと、を含むが、
前記ＨＥ−ＳＩＧ−Ｂの構成は、前記ＨＥ−ＳＩＧ−Ａの少なくとも一つのサブフィールドから獲得した情報に基づいて識別される無線通信方法。
【請求項１４】
ＨＥ−ＳＩＧ−ＡのＳＩＧ−Ｂ圧縮フィールドが全体帯域幅ＭＵ−ＭＩＭＯ伝送を指示して前記ＨＥ−ＳＩＧ−Ｂに共通フィールドが存在しなければ、
前記ＨＥ−ＳＩＧ−Ｂのユーザ特定フィールドの構成は、前記ＨＥ−ＳＩＧ−Ａの少なくとも一つのサブフィールドから獲得した情報に基づいて識別される請求項１３に記載の無線通信方法。
【請求項１５】
前記ＨＥ−ＳＩＧ−ＡのＳＩＧ−Ｂ圧縮フィールドが全体帯域幅ＭＵ−ＭＩＭＯ伝送を指示すれば、前記ＨＥ−ＳＩＧ−Ａから指示されたＭＵ−ＭＩＭＯユーザの個数情報に基づいて前記ＨＥ−ＳＩＧ−Ｂのユーザ特定フィールドの構成が識別される請求項１４に記載の無線通信方法。
【請求項１６】
前記ＭＵ−ＭＩＭＯユーザの個数情報が２つ以上のユーザを指示すれば、前記ＨＥ−ＳＩＧ−Ｂのユーザ特定フィールドはＭＵ−ＭＩＭＯ割当のためのユーザフィールドを含み、
前記ＭＵ−ＭＩＭＯユーザの個数情報が一つのユーザを指示すれば、前記ＨＥ−ＳＩＧ−Ｂのユーザ特定フィールドはｎｏｎ−ＭＵ−ＭＩＭＯ割当のための一つのユーザフィールドを含む請求項１５に記載の無線通信方法。
【請求項１７】
前記ＭＵ−ＭＩＭＯ割当のためのユーザフィールドは、ＭＵ−ＭＩＭＯ割当における空間的ストリームの総個数と前記ＭＵ−ＭＩＭＯ割当における各端末のための空間的ストリーム個数を指示する空間構成フィールドを含み、
前記ｎｏｎ−ＭＵ−ＭＩＭＯ割当のためのユーザフィールドは、ＮＳＴＳ（Ｎｕｍｂｅｒ  ｏｆ  Ｓｐａｃｅ  Ｔｉｍｅ  Ｓｔｒｅａｍｓ）フィールドを含む請求項１６に記載の無線通信方法。
【請求項１８】
前記ｎｏｎ−ＭＵ−ＭＩＭＯ割当のためのユーザフィールドは、ＯＦＤＭＡ割当基盤のユーザフィールドである請求項１６に記載の無線通信方法。
【請求項１９】
前記ＨＥ−ＳＩＧ−ＡのＳＩＧ−Ｂ圧縮フィールドが全体帯域幅ＭＵ−ＭＩＭＯ伝送を指示すれば、前記ＭＵ−ＭＩＭＯユーザの個数情報は、前記ＨＥ−ＳＩＧ−ＡにおいてＨＥ−ＳＩＧ−Ｂシンボルの個数フィールドによって指示される請求項１５に記載の無線通信方法。
【請求項２０】
前記ＨＥ−ＳＩＧ−Ａは、前記ＰＰＤＵが上り伝送されるのかまたは下り伝送されるのかを指示する上り／下りフィールドを含み、
前記ＰＰＤＵのＨＥ−ＳＩＧ−Ａの少なくとも一つのサブフィールドは、前記上り／下りフィールドが指示する値に基づいて異なる情報を指示するか異なるように設定される請求項１３に記載の無線通信方法。
【国際調査報告】
2020504570.tif 000038
2020504570.tif 000039
2020504570.tif 000040
2020504570.tif 000041